(57)【要約】      （修正有）【課題】複数の圧縮機が互いに並列に接続される場合において、各圧縮機における冷凍機油の量の過不足の違いを小さく抑えることが可能な冷凍装置を提供する。【解決手段】少なくとも１つのインバータ圧縮機２１ａを含み、互いに並列に接続された複数の圧縮機２１ａ、２１ｂ、２１ｃと、複数の圧縮機２１ａ、２１ｂ、２１ｃの吐出側に設けられた油分離器２３と、複数の圧縮機２１ａ、２１ｂ、２１ｃに冷媒を供給するインジェクション管３０と、油分離器２３とインジェクション管３０とを接続する油戻し管３８と、コントローラ７０と、を備え、コントローラ７０は、第１所定条件を満たした場合に、インバータ圧縮機２１ａの回転数を低下させることにより、回転数を低下させたインバータ圧縮機２１ａ以外の圧縮機２１ｂ、２１ｃに対してより多くの冷凍機油を戻す。【選択図】図１
2018071887.tif 000002
【特許請求の範囲】
【請求項１】
少なくとも１つのインバータ圧縮機（２１ａ）を含み、互いに並列に接続された複数の圧縮機（２１ａ、２１ｂ、２１ｃ）と、
複数の前記圧縮機の吐出側に設けられた油分離器（２３）と、
複数の前記圧縮機に冷媒を供給する冷媒供給管（３０、３０ａ、４２）と、
前記油分離器（２３）と前記冷媒供給管（３０、３０ａ、４２）とを接続する油戻し管（３８、３８ａ）と、
を備え、
第１所定条件を満たした場合に、前記インバータ圧縮機の回転数を低下させることにより、回転数を低下させた前記インバータ圧縮機以外の前記圧縮機に対してより多くの冷凍機油を戻す第１流量制御を行う第１制御部をさらに備えているか、もしくは、
複数の前記圧縮機の吸入側のそれぞれに対応するように前記冷媒供給管（３０、３０ａ、４２）に設けられた複数の流量調節弁（３３ａ、３３ｂ、３３ｃ）と、前記インバータ圧縮機に対応するように設けられた前記流量調節弁（３３ａ）と前記インバータ圧縮機に対応するように設けられた前記流量調節弁以外の前記流量調節弁（３３ｂ、３３ｃ）との相対的な流量調節度合いを第２所定条件を満たした場合に変えることで、前記インバータ圧縮機以外の前記圧縮機に対してより多くの冷凍機油を戻す第２流量制御を行う第２制御部と、をさらに備えた、
冷凍装置（１００、２００、３００、４００、５００）。
【請求項２】
前記油戻し管（３８）に設けられた流量調整機構（３９）をさらに備えた、
請求項１に記載の冷凍装置。
【請求項３】
前記流量調整機構（３９）は、開度制御が可能な弁であり、前記第１流量制御または前記第２流量制御を開始する前よりも開始した後の方が前記流量調整機構（３９）における流量が増大するように前記第１制御部または前記第２制御部によって制御される、
請求項２に記載の冷凍装置。
【請求項４】
前記圧縮機から吐出された冷媒を凝縮させる熱源側熱交換器（２５）をさらに備え、
前記冷媒供給管は、前記熱源側熱交換器を通過した冷媒の一部を分岐して、複数の前記圧縮機のそれぞれの圧縮工程の途中に合流させるように設けられたインジェクション管（３０）であり、
前記インジェクション管（３０）の途中に設けられた中間膨張弁（３２）をさらに備え、
複数の前記流量調節弁（３３ａ、３３ｂ、３３ｃ）は、前記インジェクション管（３０）における前記中間膨張弁（３２）よりも複数の前記圧縮機側において、複数の前記圧縮機それぞれに対応するように設けられている、
請求項１から３のいずれか１項に記載の冷凍装置。
【発明の詳細な説明】
【技術分野】
【０００１】
本発明は、冷凍装置に関する。
【背景技術】
【０００２】
従来より、圧縮機における潤滑剤としての冷凍機油が枯渇しないように、圧縮機に対して油分離器および油戻し管が設けられた冷凍装置が提案されている。
【０００３】
例えば、特許文献１（特開２０１１−２０８８６０号公報）に記載されている冷凍装置では、圧縮機の吐出側において冷媒から冷凍機油を分離するための油分離器が設けられており、当該油分離器で分離された冷凍機油を圧縮機の吸入側に設けられた気液分離器の上流側に戻す油戻し回路が設けられている。また、この油戻し回路の途中には、絞り開度を制御可能な電子膨張弁が設けられている。そして、この電子膨張弁の開度を、圧縮機の回転数と、圧縮機の吸入側と吐出側の圧力差に応じて開度制御することにより、圧縮機に対して適切な量の冷凍機油を戻すことができるとしている。
【発明の概要】
【発明が解決しようとする課題】
【０００４】
ところが、上記特許文献１に記載の冷凍装置では、圧縮機は１つだけ設けられており、複数の圧縮機が互いに並列に接続されている場合における各圧縮機への冷凍機油の供給については、なんら検討されていない。
【０００５】
特に、複数の圧縮機が互いに並列に接続されている場合において、各圧縮機において冷媒や冷凍機油の循環量が異なる状況になってしまう場合には、一部の圧縮機では冷凍機油の量が過剰になって多くの冷凍機油が吐出される状況となり、他の一部の圧縮機では冷凍機油が枯渇気味になってしまうおそれがある。
【０００６】
本願発明は、上述した点に鑑みてなされたものであり、本願発明の課題は、複数の圧縮機が互いに並列に接続される場合において、各圧縮機における冷凍機油の量の過不足の違いを小さく抑えることが可能な冷凍装置を提供することにある。
【課題を解決するための手段】
【０００７】
第１観点に係る冷凍装置は、複数の圧縮機と、油分離器と、冷媒供給管と、油戻し管と、を備えており、第１制御部をさらに備えているか、もしくは複数の流量調節弁および第２制御部をさらに備えている。複数の圧縮機は、少なくとも１つのインバータ圧縮機を含んでいる。複数の圧縮機は、互いに並列に接続されている。油分離器は、複数の圧縮機の吐出側に設けられている。冷媒供給管は、複数の圧縮機に冷媒を供給する。油戻し管は、油分離器と冷媒供給管とを接続する。第１制御部は、第１所定条件を満たした場合に、インバータ圧縮機の回転数を低下させることにより、回転数を低下させたインバータ圧縮機以外の圧縮機に対してより多くの冷凍機油を戻す第１流量制御を行う。複数の流量調節弁は、複数の圧縮機の吸入側のそれぞれに対応するように冷媒供給管に設けられている。第２制御部は、インバータ圧縮機に対応するように設けられた流量調節弁と、インバータ圧縮機に対応するように設けられた流量調節弁以外の流量調節弁と、の相対的な流量調節度合いを第２所定条件を満たした場合に変えることで、インバータ圧縮機以外の圧縮機に対してより多くの冷凍機油を戻す第２流量制御を行う。
【０００８】
なお、冷媒供給管は、複数の圧縮機の各吸入側に冷媒を供給してもよいし、複数の圧縮機の各圧縮工程の途中段階に冷媒を供給してもよい。
【０００９】
また、第１所定条件としては、特に限定されず、インバータ圧縮機またはインバータ圧縮機以外の圧縮機が、予め定めた所定期間、連続して運転した場合や積算して運転した場合に満たされることとしてもよいし、一日のうちの所定の時刻になった場合に満たされることとしてもよいし、冷凍機油のインバータ圧縮機以外の圧縮機における量を積算により把握している場合には把握している量が所定量よりも少なくなった場合に満たされることとしてもよい。
【００１０】
第１制御部を備えている冷凍装置については、第１所定条件を満たした場合に、インバータ圧縮機の回転数を低下させることにより、回転数を低下させたインバータ圧縮機以外の圧縮機に対してより多くの冷凍機油を戻す第１流量制御を行う。これにより、インバータ圧縮機以外の圧縮機において冷凍機油が不足している状況を改善させ、各圧縮機における冷凍機油の量の過不足の違いを小さく抑えることが可能になる。
【００１１】
複数の流量調節弁および第２制御部を備えている冷凍装置については、インバータ圧縮機に対応するように設けられた流量調節弁と、インバータ圧縮機に対応するように設けられた流量調節弁以外の流量調節弁と、の相対的な流量調節度合いを、第２所定条件を満たした場合に変えることで、インバータ圧縮機以外の圧縮機に対してより多くの冷凍機油を戻す第２流量制御を行う。これにより、インバータ圧縮機以外の圧縮機において冷凍機油が不足している状況を改善させ、各圧縮機における冷凍機油の量の過不足の違いを小さく抑えることが可能になる。
【００１２】
第２観点に係る冷凍装置は、第１観点に係る冷凍装置であって、流量調整機構をさらに備えている。流量調整機構は、油戻し管に設けられている。
【００１３】
なお、流量調整機構としては、特に限定されず、例えば、電動膨張弁であってもよいし、キャピラリーチューブであってもよい。
【００１４】
この冷凍装置では、油戻し管に流量調整機構が設けられているため、油戻し管を通過して各圧縮機に戻される冷凍機油の流量を調節することが可能になる。
【００１５】
第３観点に係る冷凍装置は、第２観点に係る冷凍装置であって、流量調整機構は、開度制御が可能な弁である。冷凍装置が第１制御部を備えている場合には、第１制御部は、第１流量制御を開始する前よりも開始した後の方が流量調整機構における流量が増大するように流量調整機構を制御する。また、冷凍装置が第２制御部を備えている場合には、第２制御部は、第２流量制御を開始する前よりも開始した後の方が流量調整機構における流量が増大するように流量調整機構を制御する。
【００１６】
なお、流量調整機構における流量を増大させる場合とは、例えば、流量調整機構が電動膨張弁によって構成されている場合に、当該電動膨張弁の弁開度を上げること等が含まれる。
【００１７】
この冷凍装置では、インバータ圧縮機以外の圧縮機に対してより多くの冷凍機油を戻す第１流量制御または第２流量制御を行う場合に、流量調整機構を通過する冷凍機油の量が増大する。これにより、油戻し管および冷媒供給管を流れる冷凍機油が増大する。したがって、インバータ圧縮機以外の圧縮機に対してより効率的に冷凍機油を戻すことが可能になる。
【００１８】
第４観点に係る冷凍装置は、第１観点から第３観点のいずれかに係る冷凍装置であって、熱源側熱交換器と、中間膨張弁と、をさらに備えている。熱源側熱交換器は、圧縮機から吐出された冷媒を凝縮させる。冷媒供給管は、熱源側熱交換器を通過した冷媒の一部を分岐して、複数の圧縮機のそれぞれの圧縮工程の途中に合流させるように設けられたインジェクション管である。中間膨張弁は、インジェクション管の途中に設けられている。複数の流量調節弁は、インジェクション管における中間膨張弁よりも複数の圧縮機側において、複数の圧縮機それぞれに対応するように設けられている。
【００１９】
この冷凍装置では、油戻し管は、油分離器で分離された冷凍機油等を、インジェクション管を介して圧縮機の圧縮工程の途中に導くことができる。このように、圧縮機から油分離器に向けて吐出された高温の流体の一部が、圧縮機の吸入側に導かれるのではなく圧縮機における圧縮工程の途中に導かれるため、圧縮機から吐出された高温の流体の一部の熱エネルギーが圧縮機の吸入冷媒の温度を上昇させるために用いられてしまうことを抑制することが可能になる。
【発明の効果】
【００２０】
第１観点に係る冷凍装置では、各圧縮機における冷凍機油の量の過不足の違いを小さく抑えることが可能になる。
【００２１】
第２観点に係る冷凍装置では、油戻し管を通過して各圧縮機に戻される冷凍機油の流量を調節することが可能になる。
【００２２】
第３観点に係る冷凍装置では、インバータ圧縮機以外の圧縮機に対してより効率的に冷凍機油を戻すことが可能になる。
【００２３】
第４観点に係る冷凍装置では、圧縮機から吐出された高温の流体の一部の熱エネルギーが圧縮機の吸入冷媒の温度を上昇させるために用いられてしまうことを抑制することが可能になる。
【図面の簡単な説明】
【００２４】
【図１】本発明の一実施形態に係る冷凍装置の全体構成図。
【図２】コントローラの概略構成と、コントローラに接続される各部と、を模式的に示したブロック図。
【図３】圧縮機の負荷処理制御と圧縮機均油制御、油戻し弁の油戻し制御と均油時増量制御、第１〜第３インジェクション弁の通常油分配制御と均油時油分配制御を実行する場合におけるコントローラの処理の流れの一例を示したフローチャート。
【図４】変形例Ｂに係る冷媒回路を有する冷凍装置の全体構成図。
【図５】変形例Ｃに係る冷媒回路を有する冷凍装置の全体構成図。
【図６】変形例Ｄに係る冷媒回路を有する冷凍装置の全体構成図。
【図７】変形例Ｅに係る冷媒回路を有する冷凍装置の全体構成図。
【発明を実施するための形態】
【００２５】
以下、図面を参照しながら、本発明の一実施形態に係る冷凍装置１００について説明する。なお、以下の実施形態は、本発明の具体例であって、本発明の技術的範囲を限定するものではなく、発明の要旨を逸脱しない範囲で適宜変更が可能である。
【００２６】
（１）冷凍装置１００
図１は、本発明の一実施形態に係る冷凍装置１００の概略構成図である。冷凍装置１００は、蒸気圧縮式の冷凍サイクルによって、冷蔵倉庫や店舗のショーケースの庫内等の利用側空間の冷却を行う装置である。
【００２７】
冷凍装置１００は、主として、熱源ユニット２と、複数（ここでは２台）の利用ユニット（第１利用ユニット５０、第２利用ユニット６０）と、熱源ユニット２と第１利用ユニット５０、第２利用ユニット６０とを接続する液側冷媒連絡配管６およびガス側冷媒連絡配管７と、入力装置および表示装置としての複数のリモコン（第１リモコン５０ａ、第２リモコン６０ａ）と、冷凍装置１００の動作を制御するコントローラ７０と、を有している。
【００２８】
冷凍装置１００では、１台の熱源ユニット２に対して、液側冷媒連絡配管６およびガス側冷媒連絡配管７を介して、第１利用ユニット５０と第２利用ユニット６０とが互いに並列に接続されることで、冷媒回路１０が構成されている。冷凍装置１００では、冷媒回路１０内に封入された冷媒が、圧縮され、冷却又は凝縮され、減圧され、加熱又は蒸発された後に、再び圧縮される、という冷凍サイクルが行われる。なお、特に限定されるものではないが、本実施形態では、冷媒回路１０には、蒸気圧縮式の冷凍サイクルを行うための冷媒としてＲ３２が充填されている。
【００２９】
（１−１）熱源ユニット２
熱源ユニット２は、液側冷媒連絡配管６およびガス側冷媒連絡配管７を介して第１利用ユニット５０および第２利用ユニット６０が並列に接続されており、冷媒回路１０の一部を構成している。熱源ユニット２は、主として、圧縮機２１と、油分離器２３、四路切換弁２４と、熱源側熱交換器２５と、熱源側ファン４５と、レシーバ２７と、過冷却器３１と、熱源側膨張弁２８と、インジェクション管３０と、過冷却膨張弁３２と、インジェクション弁３３と、油戻し管３８と、油戻し弁３９と、第１分岐管３４と、第２分岐管３６と、液側閉鎖弁４８と、ガス側閉鎖弁４９と、を有している。
【００３０】
また、熱源ユニット２は、圧縮機２１の吐出側から四路切換弁２４の接続ポートの１つを接続しており途中に油分離器２３が設けられている吐出側配管４１と、圧縮機２１の吸入側から四路切換弁２４の接続ポートの１つとを接続する吸入側配管４２と、熱源側熱交換器２５の液側とレシーバ２７とを接続する第１熱源液側配管４３と、レシーバ２７の熱源側熱交換器２５側とは反対側の端部と液側閉鎖弁４８とを接続する第２熱源液側配管４４と、を有している。
【００３１】
圧縮機２１は、冷凍サイクルにおける低圧の冷媒を高圧になるまで圧縮する機器である。特に限定されないが、本実施形態の圧縮機２１は、互いに並列に接続された第１圧縮機２１ａと、第２圧縮機２１ｂと、第３圧縮機２１ｃと、によって構成されている。これらの第１圧縮機２１ａ、第２圧縮機２１ｂおよび第３圧縮機２１ｃは、本実施形態では、いずれも全密閉式高圧ドーム型のスクロール圧縮機である。このうち、第１圧縮機２１ａ（インバータ圧縮機）は、容量可変（回転数が可変）の圧縮機であり、インバータが設けられている。第２圧縮機２１ｂ（インバータ圧縮機以外の圧縮機）および第３圧縮機２１ｃ（インバータ圧縮機以外の圧縮機）は、容量固定（回転数が固定）の圧縮機であり、インバータは設けられていない。なお、第１圧縮機２１ａの最高回転数は、第２圧縮機２１ｂや第３圧縮機２１ｃの固定の回転数よりも高くなるように構成されている。
【００３２】
第１圧縮機２１ａ、第２圧縮機２１ｂ、第３圧縮機２１ｃのそれぞれの吸入側には、個別吸入管が接続されている。これらの個別吸入管は、最上流側において１つにまとまっている。これらの個別吸入管の最上流側のまとまった箇所と、四路切換弁２４とは、吸入側配管４２によって接続されている。
【００３３】
第１圧縮機２１ａ、第２圧縮機２１ｂ、第３圧縮機２１ｃのそれぞれの吐出側には、個別吐出管が接続されている。これらの個別吐出管は、最下流側において１つにまとまっている。これらの個別吐出管の最下流側のまとまった箇所と、四路切換弁２４とは、吐出側配管４１によって接続されている。なお、第１圧縮機２１ａの吐出側には、吐出流れのみを許容する逆止弁２２ａが設けられている。第２圧縮機２１ｂの吐出側にも同様に、吐出流れのみを許容する逆止弁２２ｂが設けられており、第３圧縮機２１ｃの吐出側にも同様に、吐出流れのみを許容する逆止弁２２ｃが設けられている。
【００３４】
油分離器２３は、圧縮機２１から吐出された冷媒から主として冷凍機油を分離するための容器であり、吐出側配管４１の途中に設けられている。この油分離器２３は、圧縮機２１を構成する複数の圧縮機である第１圧縮機２１ａと第２圧縮機２１ｂと第３圧縮機２１ｃから吐出された流体（冷媒と冷凍機油を含む）をまとめて流入させ、主として冷凍機油を分離する（なお、運転状況によってはガス冷媒も多少混ざり込む）。このため、例えば、第１圧縮機２１ａと第２圧縮機２１ｂと第３圧縮機２１ｃとのそれぞれの吐出側に１対１で対応させるように設けられる油分離器と比べると、本実施形態の油分離器２３は容量が大きいものとなっている。
【００３５】
この吐出側配管４１の途中に設けられた油分離器２３からは、油戻し管３８が分岐するようにして延び出している。この油戻し管３８の他端は、後述するインジェクション管３０の途中であって、過冷却器３１と第１〜第３インジェクション分流管３３ｘ、３３ｙ、３３ｚとの間に接続されている。また、油戻し管３８の途中には、弁開度を制御可能な電子膨張弁によって構成された油戻し弁３９が設けられている。
【００３６】
四路切換弁２４は、吐出側配管４１の下流側端部に接続されている。この四路切換弁２４は、接続状態を切り換えることにより、圧縮機２１の吐出側と熱源側熱交換器２５とが接続されてガス側閉鎖弁４９と圧縮機２１の吸入側とが接続された冷却運転状態（通常運転の状態）と、圧縮機２１の吐出側とガス側閉鎖弁４９とが接続されて熱源側熱交換器２５と圧縮機２１の吸入側とが接続された加熱運転状態（デフロスト運転の状態）と、を切り換えることが可能になっている。
【００３７】
熱源側熱交換器２５は、冷凍サイクルにおける高圧の冷媒の放熱器として機能すると共に、低圧の冷媒の蒸発器として機能する熱交換器である。熱源側熱交換器２５は、一端が四路切換弁２４側から伸びた冷媒配管に接続されており、他端が第１熱源液側配管４３に接続されている。
【００３８】
熱源側ファン４５は、熱源ユニット２内に庫外空気（熱源側空気）を取り込んで、熱源側熱交換器２５において冷媒と熱交換させた後に、外部に排出させるための空気流れを形成する。熱源側ファン４５は、熱源側ファンモータＭ４５によって回転駆動される。熱源側ファン４５の風量は、熱源側ファンモータＭ４５の回転数を調節することにより制御される。
【００３９】
第１熱源液側配管４３の途中には、熱源側熱交換器２５側からレシーバ２７側に向かう冷媒流れのみを許容する第１熱源液側逆止弁２６が設けられている。
【００４０】
レシーバ２７は、冷媒を一時的に溜める容器であり、第１熱源液側配管４３の熱源側熱交換器２５側とは反対側に設けられている。ここで、第１熱源液側配管４３は、レシーバ２７の上方における気相部分に接続されている。
【００４１】
熱源側膨張弁２８は、弁開度を制御可能な電動膨張弁によって構成されており、第２熱源液側配管４４に（より詳細には過冷却器３１の下流側の部分に）配置されている。
【００４２】
過冷却器３１は、レシーバ２７において一時的に溜められた冷媒を第１、第２利用ユニット５０、６０に送る前にさらに冷却する熱交換器であり、第２熱源液側配管４４のレシーバ２７と熱源側膨張弁２８との間に配置されている。
【００４３】
インジェクション管３０は、第２熱源液側配管４４の過冷却器３１と熱源側膨張弁２８との間から分岐するように伸び出しており、圧縮機２１の圧縮工程の途中に接続されている。
【００４４】
過冷却膨張弁３２は、弁開度を制御可能な電動膨張弁によって構成されており、インジェクション管３０の途中であって、過冷却器３１よりも上流側に設けられている。過冷却器３１では、レシーバ２７から流れ出た第２熱源液側配管４４を流れる冷媒と、インジェクション管３０を流れる冷媒であって過冷却膨張弁３２によって減圧された冷媒と、の間で熱交換が行われる。これにより、第２熱源液側配管４４を流れる冷媒は過冷却されて、熱源側膨張弁２８に向けて流れる。他方、インジェクション管３０において過冷却器３１を通過した冷媒は、さらにインジェクション管３０の下流側に向けて流れる。
【００４５】
インジェクション管３０における油戻し管３８との合流部分よりもさらに下流側（圧縮機２１側）は、第１〜第３インジェクション分流管３３ｘ、３３ｙ、３３ｚを介して、圧縮機２１まで伸びている。具体的には、インジェクション管３０における油戻し管３８との合流部分よりもさらに下流側（圧縮機２１側）は、第１圧縮機２１ａの圧縮工程の途中に合流するように流れる第１インジェクション分流管３３ｘと、第２圧縮機２１ｂの圧縮工程の途中に合流するように流れる第２インジェクション分流管３３ｙと、第３圧縮機２１ｃの圧縮工程の途中に合流するように流れる第３インジェクション分流管３３ｚと、に分岐している。
【００４６】
インジェクション弁３３は、弁開度を制御可能な電動膨張弁によって構成されており、インジェクション管３０における第１〜第３インジェクション分流管３３ｘ、３３ｙ、３３ｚの途中にそれぞれ設けられている。具体的には、第１インジェクション分流管３３ｘの途中には第１インジェクション弁３３ａが設けられ、第２インジェクション分流管３３ｙの途中には第２インジェクション弁３３ｂが設けられ、第３インジェクション分流管３３ｚの途中には第３インジェクション弁３３ｃが設けられている。
【００４７】
第２熱源液側配管４４には、熱源側膨張弁２８と液側閉鎖弁４８との間において、熱源側膨張弁２８側から液側閉鎖弁４８側に向かう冷媒流れのみを許容する第２熱源液側逆止弁２９が設けられている。
【００４８】
第１分岐管３４は、第２熱源液側配管４４の途中であって、第２熱源液側逆止弁２９と液側閉鎖弁４８との間から分岐し、第１熱源液側配管４３の途中であって第１熱源液側逆止弁２６とレシーバ２７との間の部分に合流するように設けられた冷媒配管である。この第１分岐管３４の途中には、第２熱源液側配管４４側から第１熱源液側配管４３側に向かう冷媒流れのみを許容する第１分岐逆止弁３５が設けられている。
【００４９】
第２分岐管３６は、第２熱源液側配管４４の途中であって、熱源側膨張弁２８と第２熱源液側逆止弁２９との間から分岐し、第１熱源液側配管４３の途中であって熱源側熱交換器２５と第１熱源液側逆止弁２６との間の部分に合流するように設けられた冷媒配管である。この第２分岐管３６の途中には、第２熱源液側配管４４側から第１熱源液側配管４３側に向かう冷媒流れのみを許容する第２分岐逆止弁３７が設けられている。
【００５０】
液側閉鎖弁４８は、第２熱源液側配管４４と液側冷媒連絡配管６との接続部分に配置された手動弁である。
【００５１】
ガス側閉鎖弁４９は、四路切換弁２４から伸びる配管とガス側冷媒連絡配管７との接続部分に配置された手動弁である。
【００５２】
熱源ユニット２には、各種センサが配置されている。具体的には、吸入側配管４２には、圧縮機２１の吸入側における冷媒の圧力である吸入圧力を検出する低圧センサ４０ａが設けられている。また、第１圧縮機２１ａの個別吐出管の途中には、圧縮機２１の吐出側における冷媒の圧力である吐出圧力を検出する高圧センサ４０ｃが設けられている。さらに、インジェクション管３０の途中であって、インジェクション管３０と油戻し管３８との合流部分と、過冷却器３１と、の間には、冷凍サイクルにおける中間圧力を検出する中間圧センサ４０ｂが設けられている。さらに、熱源側熱交換器２５又は熱源側ファン４５の周辺には、熱源ユニット２内に吸入される熱源側空気の温度を検出する熱源側空気温度センサ４６が配置されている。そして、圧縮機２１から吐出された冷媒の温度を検知するための吐出温度センサ４７が、吐出側配管４１の途中（本実施形態では油分離器２３の上流側であって、第１圧縮機２１ａと第２圧縮機２１ｂと第３圧縮機２１ｃの吐出冷媒の合流後の位置）に設けられている。
【００５３】
熱源ユニット２は、熱源ユニット２を構成する各部の動作を制御する熱源ユニット制御部２０を有している。熱源ユニット制御部２０は、ＣＰＵやメモリ等を含むマイクロコンピュータを有している。熱源ユニット制御部２０は、各利用ユニット５０の利用ユニット制御部５７と通信線を介して接続されており、制御信号等の送受信を行う。
【００５４】
（１−２）第１利用ユニット５０
第１利用ユニット５０は、液側冷媒連絡配管６およびガス側冷媒連絡配管７を介して熱源ユニット２と接続されており、冷媒回路１０の一部を構成している。
【００５５】
第１利用ユニット５０は、第１利用側膨張弁５４と、第１利用側熱交換器５２と、を有している。また、第１利用ユニット５０は、第１利用側熱交換器５２の液側端と液側冷媒連絡配管６とを接続する第１利用側液冷媒管５９と、第１利用側熱交換器５２のガス側端とガス側冷媒連絡配管７とを接続する第１利用側ガス冷媒管５８と、を有している。
【００５６】
第１利用側膨張弁５４は、弁開度を制御可能な電動膨張弁によって構成されており、第１利用側液冷媒管５９の途中に設けられている。
【００５７】
第１利用側熱交換器５２は、冷凍サイクルにおける冷却運転時には低圧の冷媒の蒸発器として機能して庫内空気（利用側空気）を冷却し、デフロスト運転等の加熱運転時には冷媒の放熱器として機能する熱交換器である。
【００５８】
ここで、第１利用ユニット５０は、第１利用ユニット５０内に利用側空気を吸入して、第１利用側熱交換器５２において冷媒と熱交換させた後に、利用側空間に供給するための第１利用側ファン５３を有している。第１利用側ファン５３は、第１利用側熱交換器５２を流れる冷媒の加熱源としての利用側空気を第１利用側熱交換器５２に供給するためのファンである。第１利用側ファン５３は、第１利用側ファンモータＭ５３によって回転駆動される。
【００５９】
また、第１利用ユニット５０は、第１利用ユニット５０を構成する各部の動作を制御する第１利用ユニット制御部５７を有している。第１利用ユニット制御部５７は、ＣＰＵやメモリ等を含むマイクロコンピュータを有している。第１利用ユニット制御部５７は、熱源ユニット制御部２０と通信線を介して接続されており、制御信号等の送受信を行う。
【００６０】
（１−３）第２利用ユニット６０
第２利用ユニット６０は、第１利用ユニット５０と同様の構成であり、液側冷媒連絡配管６およびガス側冷媒連絡配管７を介して熱源ユニット２と接続されており、冷媒回路１０の一部を構成している。この第２利用ユニット６０は、第１利用ユニット５０に対して並列に接続されている。
【００６１】
第２利用ユニット６０は、第２利用側膨張弁６４と、第２利用側熱交換器６２と、を有している。また、第２利用ユニット６０は、第２利用側熱交換器６２の液側端と液側冷媒連絡配管６とを接続する第２利用側液冷媒管６９と、第２利用側熱交換器６２のガス側端とガス側冷媒連絡配管７とを接続する第２利用側ガス冷媒管６８と、を有している。
【００６２】
第２利用側膨張弁６４は、弁開度を制御可能な電動膨張弁によって構成されており、第２利用側液冷媒管６９の途中に設けられている。
【００６３】
第２利用側熱交換器６２は、冷凍サイクルにおける冷却運転時には低圧の冷媒の蒸発器として機能して庫内空気（利用側空気）を冷却し、デフロスト運転等の加熱運転時には冷媒の放熱器として機能する熱交換器である。
【００６４】
ここで、第２利用ユニット６０も、第１利用ユニット５０と同様に、第２利用側ファンモータＭ６３によって回転駆動される第２利用側ファン６３を有している。
【００６５】
また、第２利用ユニット６０は、第２利用ユニット６０を構成する各部の動作を制御する第２利用ユニット制御部６７を有している。第２利用ユニット制御部６７は、ＣＰＵやメモリ等を含むマイクロコンピュータを有している。第２利用ユニット制御部６７は、熱源ユニット制御部２０と通信線を介して接続されており、制御信号等の送受信を行う。
【００６６】
（１−４）第１リモコン５０ａ、第２リモコン６０ａ
第１リモコン５０ａは、第１利用ユニット５０のユーザが冷凍装置１００の運転状態を切り換えるための各種指示を入力するための入力装置である。また、第１リモコン５０ａは、冷凍装置１００の運転状態や所定の報知情報を表示するための表示装置としても機能する。第１リモコン５０ａは、第１利用ユニット制御部５７と通信線を介して接続されており、相互に信号の送受信を行っている。
【００６７】
第２リモコン６０ａも、第１リモコン５０ａと同様であり、第２利用ユニット６０のユーザが冷凍装置１００の運転状態を切り換えるための各種指示を入力するための入力装置、表示装置である。第２リモコン６０ａは、第２利用ユニット制御部６７と通信線を介して接続されており、相互に信号の送受信を行っている。
【００６８】
（２）コントローラ７０の詳細
冷凍装置１００では、熱源ユニット制御部２０と、第１利用ユニット制御部５７および第２利用ユニット制御部６７と、が通信線を介して接続されることで、冷凍装置１００の動作を制御するコントローラ７０が構成されている。
【００６９】
図２は、コントローラ７０の概略構成と、コントローラ７０に接続される各部と、を模式的に示したブロック図である。
【００７０】
コントローラ７０は、複数の制御モードを有し、遷移している制御モードに応じて冷凍装置１００の運転を制御する。例えば、コントローラ７０は、制御モードとして、平常時に行われる冷却運転モードと、逆サイクルデフロスト時に行われる加熱運転モードと、を有している。また、コントローラ７０は、冷却運転モードと加熱運転モードとのいずれにおいても、油戻し弁３９について、油戻し制御および均油制御を行う。この油戻し弁３９の油戻し制御は、冷凍サイクルの運転状況に応じて適切な冷凍機油の量を第１圧縮機２１ａ、第２圧縮機２１ｂ、第３圧縮機２１ｃに返油させるための制御である。そして、油戻し弁３９の均油制御は、第２圧縮機２１ｂや第３圧縮機２１ｃにおける冷凍機油の不足を解消させるために、油戻し弁３９の弁開度を、油戻し制御時の弁開度よりも大きくする制御である。
【００７１】
コントローラ７０は、熱源ユニット２に含まれる各アクチュエータ（具体的には、圧縮機２１、四路切換弁２４、熱源側膨張弁２８、過冷却膨張弁３２、インジェクション弁３３、油戻し弁３９、および熱源側ファン４５（熱源側ファンモータＭ４５））と、各種センサ（低圧センサ４０ａ、中間圧センサ４０ｂ、高圧センサ４０ｃ、および熱源側空気温度センサ４６、吐出温度センサ４７等）と、電気的に接続されている。また、コントローラ７０は、第１利用ユニット５０に含まれるアクチュエータ（具体的には、第１利用側ファン５３（第１利用側ファンモータＭ５３）、第１利用側膨張弁５４）と電気的に接続されている。また、コントローラ７０は、第２利用ユニット６０に含まれるアクチュエータ（具体的には、第２利用側ファン６３（第２利用側ファンモータＭ６３）、第２利用側膨張弁６４）と電気的に接続されている。また、コントローラ７０は、第１リモコン５０ａ、第２リモコン６０ａと、電気的に接続されている。
【００７２】
コントローラ７０は、主として、記憶部７１と、通信部７２と、モード制御部７３と、アクチュエータ制御部７４と、表示制御部７５と、を有している。なお、コントローラ７０内におけるこれらの各部は、熱源ユニット制御部２０および／又は利用ユニット制御部５７に含まれる各部が一体的に機能することによって実現されている。
【００７３】
（２−１）記憶部７１
記憶部７１は、例えば、ROM、RAM、およびフラッシュメモリ等で構成されており、揮発性の記憶領域と不揮発性の記憶領域を含む。記憶部７１には、コントローラ７０の各部における処理を定義した制御プログラムが格納されている。また、記憶部７１は、コントローラ７０の各部によって、所定の情報（例えば、各センサの検出値、第１リモコン５０ａ、第２リモコン６０ａに入力されたコマンド等）を、所定の記憶領域に適宜格納される。
【００７４】
（２−２）通信部７２
通信部７２は、コントローラ７０に接続される各機器と、信号の送受信を行うための通信インターフェースとしての役割を果たす機能部である。通信部７２は、アクチュエータ制御部７４からの依頼を受けて、指定されたアクチュエータに所定の信号を送信する。また、通信部７２は、各種センサ、第１リモコン５０ａ、および第２リモコン６０ａから出力された信号を受けて、記憶部７１の所定の記憶領域に格納する。
【００７５】
（２−３）モード制御部７３
モード制御部７３は、制御モードの切り換え等を行う機能部である。モード制御部７３は、第１、第２利用側熱交換器５２、６２における霜の付着に関する所定デフロスト条件が満たされていない状態で運転を行う場合には、冷却運転モードとする。また、モード制御部７３は、冷却運転モードにおいて、所定デフロスト条件が満たされた場合には、加熱運転モードに切り換える。また、モード制御部７３は、油戻し弁３９について、冷却運転モードと加熱運転モードとのいずれにおいても、油戻し制御および均油制御を行う。
【００７６】
（２−４）アクチュエータ制御部７４
アクチュエータ制御部７４は、制御プログラムに沿って、状況に応じて、冷凍装置１００に含まれる各アクチュエータ（例えば圧縮機２１等）の動作を制御する。
【００７７】
アクチュエータ制御部７４は、四路切換弁２４の接続状態を圧縮機２１の吐出側と熱源側熱交換器２５とが接続されてガス側閉鎖弁４９と圧縮機２１の吸入側とが接続された状態として、熱源側膨張弁２８が全開状態となるように制御しつつ、設定温度や各種センサの検出値等に応じて、圧縮機２１の回転数、熱源側ファン４５、過冷却膨張弁３２の開度、油戻し弁３９の開度、第１〜第３インジェクション弁３３ａ、３３ｂ、３３ｃの各弁開度、利用側膨張弁５４、６４の開度、利用側ファン５３、６３の回転数等をリアルタイムに制御する。なお、冷却運転モード実行中は、第１〜第３インジェクション弁３３ａ、３３ｂ、３３ｃは、いずれも全閉状態以外の状態に制御される。
【００７８】
また、アクチュエータ制御部７４は、加熱運転モード時には、四路切換弁２４の接続状態を圧縮機２１の吐出側とガス側閉鎖弁４９とが接続されて熱源側熱交換器２５と圧縮機２１の吸入側とが接続された状態として、過冷却膨張弁３２は全閉状態となるように制御し、利用側膨張弁５４、６４は全開状態となるように制御し、利用側ファン５３、６３を停止させるように制御しつつ、各種センサの検出値等に応じて、圧縮機２１の回転数、熱源側ファン４５、熱源側膨張弁２８の開度、油戻し弁３９の開度、第１〜第３インジェクション弁３３ａ、３３ｂ、３３ｃの各弁開度等をリアルタイムに制御する。なお、加熱運転モード実行中においても、第１〜第３インジェクション弁３３ａ、３３ｂ、３３ｃは、いずれも全閉状態以外の状態に制御される。
【００７９】
ここで、冷却運転モード時には、圧縮機２１について、負荷処理制御と、圧縮機均油制御とが選択的に実行される。
【００８０】
また、冷却運転モード時には、油戻し弁３９について、油戻し制御と、均油時増量制御とが選択的に実行される。
【００８１】
さらに、冷却運転モード時には、第１〜第３インジェクション弁３３ａ、３３ｂ、３３ｃについて、通常油分配制御と、均油時油分配制御とが選択的に実行される。
【００８２】
（２−４−１）圧縮機２１の負荷処理制御
圧縮機２１の負荷処理制御（冷却運転モードで圧縮機均油制御が実行される時以外の制御）では、第１利用ユニット５０および第２利用ユニット６０で要求される負荷を処理できるように、負荷に応じてアクチュエータ制御部７４が容量制御を行う。具体的には、吸入圧力の目標値が第１利用ユニット５０および第２利用ユニット６０で要求される冷却負荷に応じて設定され、吸入圧力が目標値になるように圧縮機２１の運転回転数が制御される。
【００８３】
ここで、アクチュエータ制御部７４は、起動時や負荷が小さい場合には第１圧縮機２１ａのみを駆動させ、起動後に冷凍サイクルが安定してきた場合や負荷が大きくなった場合に、第２圧縮機２１ｂや第３圧縮機２１ｃについても駆動させる状態となるように、制御を行う。なお、インバータを有する容量可変型の第１圧縮機２１ａの回転数は、回転数固定型の第２圧縮機２１ｂや第３圧縮機２１ｃの回転数よりも大きくなるように駆動される。
【００８４】
（２−４−２）圧縮機２１の圧縮機均油制御
圧縮機２１の圧縮機均油制御では、圧縮機２１のうち第１圧縮機２１ａの回転数を低い回転数としつつ、第２圧縮機２１ｂと第３圧縮機２１ｃの運転状態は維持させる（固定回転数のままで運転させる）状態となるように、アクチュエータ制御部７４が制御を行う。
【００８５】
具体的には、アクチュエータ制御部７４は、第１圧縮機２１ａの回転数が所定の均油用回転数以下となるように、強制的に制御を行う。ここで、均油用回転数は、特に限定されないが、例えば、第２圧縮機２１ｂや第３圧縮機２１ｃの固定回転数よりもよりも低い回転数として予め定めることができるし、圧縮機均油制御が開始される直前の第１圧縮機２１ａの回転数を基準とした場合に当該基準よりも低い回転数となるようにしてもよい。
【００８６】
（２−４−３）油戻し弁３９の油戻し制御
油戻し弁３９の油戻し制御（冷却運転モードで均油時増量制御が実行される時以外の制御）では、圧縮機２１からの油上がり量と同じ通過循環量を実現できる開度となるようにアクチュエータ制御部７４が制御する。すなわち、「圧縮機２１からの油上がり量」が、「油戻し弁３９における通過循環量」と等しくなるように、アクチュエータ制御部７４が油戻し弁３９の弁開度を制御する。
【００８７】
ここで、「圧縮機の油上がり量」＝「圧縮機の冷媒循環量」×「圧縮機の油上がり率」の関係にある。ここで、圧縮機２１を構成する複数の圧縮機（第１圧縮機２１ａ、第２圧縮機２１ｂ、第３圧縮機２１ｃ）が駆動している場合には、駆動している圧縮機それぞれについて「圧縮機の冷媒循環量」と「圧縮機の油上がり率」を用いて「圧縮機の油上がり量」を算出し、これらを合計することで、「圧縮機２１の油上がり量」を算出することができる。
【００８８】
なお、「圧縮機の循環量」は、特に限定されないが、例えば、圧縮機のピストン押しのけ量、圧縮機の駆動回転数、圧縮機の吸入冷媒密度に基づいて算出するようにしてもよいし、
圧縮機２１の入力電力を圧縮機２１の出口と入口のエンタルピー差で除することによって算出するようにしてもよい。
【００８９】
また、上記「圧縮機の油上がり率」は、圧縮機の駆動回転数と、冷凍サイクルにおける高圧圧力と中間圧力と低圧圧力と、必要に応じて圧縮機が吸入する冷媒の過熱度と、に基づいて、駆動している圧縮機毎に算出することができる。
【００９０】
また、「油戻し弁３９における通過循環量」は、油戻し弁３９における弁開度と、油戻し弁３９の前後における冷媒圧力の差（高圧圧力−中間圧圧力）と、予め記憶部７１に記憶されている所定の関係値テーブルデータと、を用いて算出することができる。ここで、所定の関係値テーブルデータは、油戻し弁３９の弁開度が大きいほど通過循環量が大きくなり、油戻し弁３９の前後の冷媒圧力の差が大きいほど通過循環量が大きくなるという関係に基づいて、予め得られているデータである。
【００９１】
以上にしたがって、油戻し弁３９の弁開度は、実質的に、「圧縮機２１の油上がり量」と「油戻し弁３９の前後における冷媒圧力の差（高圧圧力−中間圧圧力）」と、に応じた開度に制御されることになる。
【００９２】
（２−４−４）油戻し弁３９の均油時増量制御
油戻し弁３９の均油時増量制御では、アクチュエータ制御部７４は、直前まで行われていた冷却運転モードでの油戻し弁３９の油戻し制御により制御された弁開度よりも、さらに大きな弁開度となるように、油戻し弁３９の開度を開ける。油戻し弁３９の開度を開ける程度は、特に限定されないが、例えば、直前まで行われていた冷却運転モードでの油戻し弁３９の油戻し制御による弁開度に対して所定の比率となるような弁開度としてもよいし、全開状態としてもよい。このように油戻し弁３９の弁開度を開くことにより、油分離器２３から油戻し管３８を通じてより多くの冷凍機油をインジェクション管３０に送ることが可能となる。
【００９３】
（２−４−５）第１〜第３インジェクション弁３３ａ、３３ｂ、３３ｃの通常油分配制御
第１〜第３インジェクション弁３３ａ、３３ｂ、３３ｃの通常油分配制御（冷却運転モードで均油時分配制御が実行される時以外の制御）では、アクチュエータ制御部７４は、第１〜第３インジェクション弁３３ａ、３３ｂ、３３ｃの各弁開度の比率を、第１〜第３圧縮機２１ａ、２１ｂ、２１ｃの回転数の比率と比例するように、制御する。
【００９４】
（２−４−６）第１〜第３インジェクション弁３３ａ、３３ｂ、３３ｃの均油時油分配制御
第１〜第３インジェクション弁３３ａ、３３ｂ、３３ｃの均油時油分配制御では、アクチュエータ制御部７４は、第１インジェクション弁３３ａの弁開度に対する第２インジェクション弁３３ｂおよび第３インジェクション弁３３ｃの各弁開度の比率が、第１圧縮機２１ａの回転数に対する第２圧縮機２１ｂおよび第３圧縮機２１ｃの各回転数の比率よりも大きくなるように制御する。具体的には、第２インジェクション弁３３ｂおよび第３インジェクション弁３３ｃの弁開度を開け気味に制御し、第２圧縮機２１ｂおよび第３圧縮機２１ｃに対して多くの冷凍機油が戻る状況を確保する。
【００９５】
なお、ここで、第１インジェクション弁３３ａの弁開度を絞りつつ第２インジェクション弁３３ｂおよび第３インジェクション弁３３ｃの弁開度をそのまま維持する制御よりも、第１インジェクション弁３３ａの弁開度をそのまま維持しつつ第２インジェクション弁３３ｂおよび第３インジェクション弁３３ｃの弁開度を所定開度上げる制御の方が、圧縮機２１の吐出温度を低く抑えることが可能になる点で好ましい。
【００９６】
（２−５）表示制御部７５
表示制御部７５は、表示装置としての第１リモコン５０ａおよび第２リモコン６０ａの動作を制御する機能部である。
【００９７】
表示制御部７５は、運転状態や状況に係る情報を管理者に対して表示すべく、第１リモコン５０ａおよび第２リモコン６０ａに所定の情報を出力させる。
【００９８】
例えば、表示制御部７５は、冷却運転実行中には、設定温度等の各種情報を第１リモコン５０ａおよび第２リモコン６０ａに表示させる。
【００９９】
（３）冷却運転モードの冷媒の流れ
以下、冷却運転モードにおける冷媒回路１０における冷媒の流れについて説明する。
【０１００】
冷凍装置１００では、運転時に、冷媒回路１０に充填された冷媒が、主として、圧縮機２１、熱源側熱交換器２５、レシーバ２７、過冷却器３１、熱源側膨張弁２８、利用側膨張弁５４、６４、利用側熱交換器５２、６２の順に循環する冷却運転（冷凍サイクル運転）が行われる。
【０１０１】
冷却運転が開始されると、冷媒回路１０内において、冷媒が圧縮機２１に吸入されて圧縮された後に吐出される。ここで、冷凍サイクルにおける低圧は、低圧センサ４０ａによって検出される吸入圧力であり、冷凍サイクルにおける高圧は、高圧センサ４０ｃによって検出される吐出圧力であり、冷凍サイクルにおける中間圧は、中間圧センサ４０ｂによって検出される吐出圧力である。
【０１０２】
圧縮機２１では、第１利用ユニット５０および第２利用ユニット６０で要求される冷却負荷に応じた容量制御が行われる。具体的には、吸入圧力の目標値が第１利用ユニット５０および第２利用ユニット６０で要求される冷却負荷に応じて設定され、吸入圧力が目標値になるように圧縮機２１の回転数が制御される。なお、冷却運転モード時には、圧縮機２１は、負荷処理制御または圧縮機均油制御が行われる。
【０１０３】
圧縮機２１から吐出されたガス冷媒は、吐出側配管４１を経て、熱源側熱交換器２５のガス側端に流入する。ここで、吐出側配管４１の途中に設けられた油分離器２３は、圧縮機２１から吐出された冷媒から冷凍機油を分離し、油戻し管３８側に導く。なお、冷却運転モード時には、油戻し弁３９は油戻し制御または弁均油制御が行われる。
【０１０４】
熱源側熱交換器２５のガス側端に流入したガス冷媒は、熱源側熱交換器２５において、熱源側ファン４５によって供給される熱源側空気と熱交換を行って放熱して凝縮し、液冷媒となって熱源側熱交換器２５の液側端から流出する。
【０１０５】
熱源側熱交換器２５の液側端から流出した液冷媒は、第２分岐管３６側に分岐して流れることなく、第１熱源液側配管４３および第１熱源液側逆止弁２６を通過して、レシーバ２７の入口に流入する。レシーバ２７に流入した液冷媒は、レシーバ２７において飽和状態の液冷媒として一時的に溜められた後に、レシーバ２７の出口から流出する。
【０１０６】
レシーバ２７の出口から流出した液冷媒は、第２熱源液側配管４４を流れて過冷却器３１に流入する。
【０１０７】
過冷却器３１に流入した液冷媒は、過冷却器３１において、インジェクション管３０を流れる冷媒と熱交換を行ってさらに冷却されて過冷却状態の液冷媒になり、過冷却器３１の熱源側膨張弁２８側の出口から流出する。なお、ここで、過冷却膨張弁３２の弁開度は、コントローラ７０によって、過冷却器３１から熱源側膨張弁２８に向けて流れる冷媒が所定の正の過冷却度を有するようにしつつ、中間圧センサの検知値が所定の中間圧条件を満たすように制御される。
【０１０８】
過冷却器３１の熱源側膨張弁２８側の出口から流出した液冷媒は、第２熱源液側配管４４における過冷却器３１と熱源側膨張弁２８との間の部分を経て、熱源側膨張弁２８に流入する。このとき、過冷却器３１の熱源側膨張弁２８側の出口から流出した液冷媒の一部は、第２熱源液側配管４４における過冷却器３１と熱源側膨張弁２８との間の部分から分岐しているインジェクション管３０に向けて流れるようになっている。
【０１０９】
インジェクション管３０を流れる冷媒は、過冷却膨張弁３２によって冷凍サイクルにおける中間圧になるまで減圧される。過冷却膨張弁３２によって減圧された後のインジェクション管３０を流れる冷媒は、過冷却器３１のインジェクション管３０側の入口に流入する。過冷却器３１のインジェクション管３０側の入口に流入した冷媒は、過冷却器３１において、第２熱源液側配管４４側を流れる冷媒と熱交換を行って加熱されてガス冷媒になる。そして、過冷却器３１において加熱された冷媒は、インジェクション管３０の下流側まで流れ、油戻し管３８を介して流れてきた冷凍機油と合流することで混合され、第１〜第３インジェクション分流管３３ｘ、３３ｙ、３３ｚにそれぞれ分流されて、第１〜第３圧縮機２１ａ、２１ｂ、２１ｃの圧縮工程の途中に合流する。ここで、第１〜第３インジェクション分流管３３ｘ、３３ｙ、３３ｚを流れる冷媒量は、第１〜第３インジェクション弁３３ａ、３３ｂ、３３ｃの各弁開度によって調整される。なお、冷却運転モード時には、第１〜第３インジェクション弁３３ａ、３３ｂ、３３ｃは、通常油分配制御または均油時油分配制御が行われる。
【０１１０】
熱源側膨張弁２８は、冷却運転モードでは全開状態に制御されているため、第２熱源液側配管４４から熱源側膨張弁２８に流入した液冷媒は、減圧されることなく熱源側膨張弁２８を通過し、その後に、液側閉鎖弁４８、および液側冷媒連絡配管６を経て、運転中の第１利用ユニット５０および第２利用ユニット６０に流入する。
【０１１１】
第１利用ユニット５０に流入した冷媒は、第１利用側液冷媒管５９の一部を経て、第１利用側膨張弁５４に流入する。第１利用側膨張弁５４に流入した冷媒は、第１利用側膨張弁５４によって冷凍サイクルにおける低圧になるまで減圧されて、第１利用側液冷媒管５９を経て第１利用側熱交換器５２の液側端に流入する。第１利用側熱交換器５２の液側端に流入した冷媒は、第１利用側熱交換器５２において、第１利用側ファン５３によって供給される利用側空気と熱交換を行って蒸発し、ガス冷媒となって第１利用側熱交換器５２のガス側端から流出する。第１利用側熱交換器５２のガス側端から流出したガス冷媒は、第１利用側ガス冷媒管５８を介して、ガス側冷媒連絡配管７に流れていく。
【０１１２】
第２利用ユニット６０に流入した冷媒は、第１利用ユニット５０と同様に、第２利用側液冷媒管６９の一部を経て、第２利用側膨張弁６４に流入する。第２利用側膨張弁６４に流入した冷媒は、第２利用側膨張弁６４によって冷凍サイクルにおける低圧になるまで減圧されて、第２利用側液冷媒管６９を経て第２利用側熱交換器６２の液側端に流入する。第２利用側熱交換器６２の液側端に流入した冷媒は、第２利用側熱交換器６２において、第２利用側ファン６３によって供給される利用側空気と熱交換を行って蒸発し、ガス冷媒となって第２利用側熱交換器６２のガス側端から流出する。第２利用側熱交換器６２のガス側端から流出したガス冷媒は、第２利用側ガス冷媒管６８を介して、ガス側冷媒連絡配管７に流れていく。
【０１１３】
このようにして、第１利用ユニット５０から流出した冷媒と、第２利用ユニット６０から流出した冷媒とは、ガス側冷媒連絡配管７において合流し、ガス側閉鎖弁４９、四路切換弁２４および吸入側配管４２を経て、再び、圧縮機２１に吸入される。
【０１１４】
（４）加熱運転モードの冷媒の流れ
以下、利用側熱交換器５２、６２に付着した霜を除去するため等に行われる加熱運転モードにおける冷媒回路１０における冷媒の流れについて説明する。
【０１１５】
加温運転は、コントローラ７０が冷却運転時に所定の加温運転開始条件を満たしたと判断した場合に（例えば、冷却運転が所定時間の間実行された場合または除霜対象の熱交換器の温度が所定温度以下に低下した場合）、開始される。
【０１１６】
冷凍装置１００では、加温運転時に、冷媒回路１０に充填された冷媒が、主として、圧縮機２１、利用側熱交換器５２、６２、利用側膨張弁５４、６４、レシーバ２７、熱源側膨張弁２８、熱源側熱交換器２５の順に循環する加熱運転（冷凍サイクル運転）が行われる。
【０１１７】
加熱運転が開始されると、冷媒回路１０内において、冷媒が圧縮機２１に吸入されて圧縮された後に吐出される。
【０１１８】
圧縮機２１では、特に限定されないが、例えば最大回転数となるように制御される。具体的には、第１圧縮機２１ａの回転数を最大としつつ、第２圧縮機２１ｂおよび第３圧縮機２１ｃについては固定回転数となるように制御される。
【０１１９】
圧縮機２１から吐出されたガス冷媒は、吐出側配管４１を経て、利用側熱交換器５２、６２のガス側端に流入する。
【０１２０】
利用側熱交換器５２、６２のガス側端に流入したガス冷媒は、放熱することで凝縮しつつ、利用側熱交換器５２、６２に付着している霜を融解させる。なお、このとき、利用側ファン５３、６３の駆動は停止している。
【０１２１】
利用側熱交換器５２、６２で霜を融解させて凝縮した冷媒は、全開状態に制御されている利用側膨張弁５４、６４を通過し、液側冷媒連絡配管６を介して熱源ユニット２の液側に流入する。
【０１２２】
熱源ユニット２の液側閉鎖弁４８を通過した冷媒は、第１分岐管３４における第１分岐逆止弁３５を通過するように流れ（第２熱源液側配管４４には第２熱源液側逆止弁２９が設けられているため、当該方向には流れない。）、レシーバ２７に流入する。レシーバ２７に流入した冷媒は、第２熱源液側配管４４を流れ、過冷却器３１を通過して、熱源側膨張弁２８において冷凍サイクルにおける低圧になるまで減圧された後、第２分岐管３６の第２分岐逆止弁３７を通過するように流れる。なお、加熱運転時には過冷却膨張弁３２は全閉状態に制御されているため、インジェクション管３０の上流側には冷媒は流れない。また、加熱運転時には油戻し弁３９は開度制御されているため、油戻し管３８を流れた冷凍機油は、インジェクション管３０の下流側部分を介して第１〜第３圧縮機２１ａ、２１ｂ、２１ｃのそれぞれに送られる。なお、加熱運転モードにおいては、油戻し弁３９は、冷却運転モードと同様の油戻し制御が行われる。また、加熱運転モードにおいては、第１〜第３インジェクション弁３３ａ、３３ｂ、３３ｃは、冷却運転モードと同様の通常油分配制御が行われる。
【０１２３】
上述の第２分岐管３６の第２分岐逆止弁３７を通過するように流れた冷媒は、第１熱源液側配管４３を介して熱源側熱交換器２５に流入する。熱源側熱交換器２５の液側端に流入した冷媒は、熱源側熱交換器２５において、熱源側ファン４５によって供給される熱源側空気と熱交換を行って蒸発し、ガス冷媒となって熱源側熱交換器２５のガス側端から流出する。
【０１２４】
熱源側熱交換器２５から流出したガス冷媒は、四路切換弁２４および吸入側配管４２を経て、再び、圧縮機２１に吸入される。
【０１２５】
なお、加温運転は、コントローラ７０が加温運転開始から所定の加温運転終了条件を満たしたと判断した場合に（例えば、所定時間の経過または除霜対象の熱交換器の温度が所定温度以上となること等）、終了され、通常の冷却運転が再開される。
【０１２６】
（５）冷却運転モードにおいて圧縮機２１の負荷処理制御と圧縮機均油制御、油戻し弁３９の油戻し制御と均油時増量制御、第１〜第３インジェクション弁３３ａ、３３ｂ、３３ｃの通常油分配制御と均油時油分配制御をコントローラ７０が実行する場合の処理の流れ
以下、冷却運転モードにおいて、圧縮機２１の負荷処理制御と圧縮機均油制御、油戻し弁３９の油戻し制御と均油時増量制御、第１〜第３インジェクション弁３３ａ、３３ｂ、３３ｃの通常油分配制御と均油時油分配制御を実行する場合におけるコントローラ７０の処理の流れの一例を、図３のフローチャートを参照しながら説明する。
【０１２７】
なお、ここでは、圧縮機２１が起動し、第１圧縮機２１ａ、第２圧縮機２１ｂ、第３圧縮機２１ｃの全てが駆動状態となり、冷凍サイクルが安定した状態となった状態からの処理を説明する。
【０１２８】
ステップＳ１１では、コントローラ７０は、圧縮機２１において負荷処理制御を実行する。すなわち、第１利用ユニット５０および第２利用ユニット６０で要求される冷却負荷に応じて設定される吸入圧力の目標値を実現することができるように、第１圧縮機２１ａの回転数が制御される。なお、この状態では、第２圧縮機２１ｂおよび第３圧縮機２１ｃはいずれも固定回転数で運転されている。なお、第１圧縮機２１ａの回転数の上限は、第２圧縮機２１ｂおよび第３圧縮機２１ｃの固定回転数よりも大きく、通常は（平均すると）、第１圧縮機２１ａの回転数の方が大きくなるように運転が行われている。このため、油戻し管３８およびインジェクション管３０を流れる冷凍機油は、主として、回転数の高い第１圧縮機２１ａに戻される状態となる。
【０１２９】
ステップＳ１２では、コントローラ７０は、油戻し弁３９において油戻し制御を実行する。すなわち、圧縮機２１からの油上がり量が、油戻し弁３９における通過循環量と等しくなるように、油戻し弁３９の弁開度が制御される。
【０１３０】
ステップＳ１３では、コントローラ７０は、第１〜第３インジェクション弁３３ａ、３３ｂ、３３ｃにおいて、通常油分配制御を実行する。すなわち、第１〜第３インジェクション弁３３ａ、３３ｂ、３３ｃの各弁開度は、対応する第１〜第３圧縮機２１ａ、２１ｂ、２１ｃの回転数と比例するように制御される。
【０１３１】
ステップＳ１４では、コントローラ７０は、ステップＳ１３の処理が終了した後、所定判断時間が経過しているか否かを判断する。すなわち、冷凍サイクルが安定している状態で運転が所定判断時間だけ行われているか否か判断する。これにより、回転数の大きな第１圧縮機２１ａと回転数の低い第２圧縮機２１ｂと第３圧縮機２１ｃとがいずれもしばらくの間運転されることで、第２圧縮機２１ｂと第３圧縮機２１ｃにおいて冷凍機油が不足気味の状態となっていると推定することができる。ここで、所定判断時間が経過していると判断した場合には、ステップＳ１５に移行し、所定判断時間が経過していないと判断された場合にはステップＳ１４を繰り返し、所定判断時間の経過を待つ。なお、特に限定されないが、所定判断時間は、例えば、３０分または６０分等とすることができる。
【０１３２】
ステップＳ１５では、コントローラ７０は、圧縮機２１について、圧縮機均油制御を実行する。すなわち、コントローラ７０は、インバータ圧縮機である第１圧縮機２１ａの回転数を第２圧縮機２１ｂや第３圧縮機２１ｃの固定回転数よりも低い回転数まで下げつつ、第２圧縮機２１ｂと第３圧縮機２１ｃの固定回転数での運転状態は維持させるように制御を行う。これにより、油戻し管３８およびインジェクション管３０を流れる冷凍機油は、回転数が低く制御された第１圧縮機２１ａよりも、回転数の大きな第２圧縮機２１ｂや第３圧縮機２１ｃに対して戻されやすい状態となる。
【０１３３】
ステップＳ１６では、コントローラ７０は、油戻し弁３９について、均油時増量制御を実行する。すなわち、コントローラ７０は、ステップＳ１４において所定判断時間が経過したと判断された時点で行われていた冷却運転モードでの油戻し制御による油戻し弁３９の弁開度を基準として、油戻し弁３９の弁開度が大きくなるように（例えば、当該基準の１５０％の開度となるように）制御する。これにより、油分離器２３からより多くの冷凍機油を、油戻し管３８およびインジェクション管３０に送ることができ、より多くの冷凍機油を第２圧縮機２１ｂや第３圧縮機２１ｃに戻すことが可能となる。
【０１３４】
ステップＳ１７では、コントローラ７０は、第１〜第３インジェクション弁３３ａ、３３ｂ、３３ｃについて、均油時油分配制御を実行する。すなわち、コントローラ７０は、第１インジェクション弁３３ａの弁開度に対する第２インジェクション弁３３ｂおよび第３インジェクション弁３３ｃの各弁開度の比率が、第１圧縮機２１ａの回転数に対する第２圧縮機２１ｂおよび第３圧縮機２１ｃの各回転数の比率よりも大きくなるように制御することで、第２インジェクション弁３３ｂおよび第３インジェクション弁３３ｃの弁開度が開け気味になるように制御する。これにより、第１圧縮機２１ａよりも、第２圧縮機２１ｂや第３圧縮機２１ｃに対して冷凍機油が戻されやすい状態を確保することが可能となる。
【０１３５】
ステップＳ１８では、コントローラ７０は、ステップＳ１７の処理が終了した時点から所定均油時間が経過したか否かを判断する。ここで、所定均油時間が経過したと判断された場合には、第１圧縮機２１ａと第２圧縮機２１ｂと第３圧縮機２１ｃにおける均油処理は完了したと判断し、ステップＳ１１に戻ることで、圧縮機２１の負荷処理制御、油戻し弁３９における油戻し制御、第１〜第３インジェクション弁における通常油分配制御が再度開始されることとなる。また、所定均油時間が経過していないと判断された場合にはステップＳ１８を繰り返し、所定均油時間の経過を待つ。なお、特に限定されないが、所定均油時間は、所定判断時間よりも短い時間であって、例えば、２または３分等とすることができる。
【０１３６】
（６）冷凍装置１００の特徴
（６−１）
本実施形態に係る冷凍装置１００では、冷却運転モードにおいて、油戻し弁３９の弁開度について上述の油戻し制御を行うことにより、圧縮機２１の冷媒循環量や油上がり率に応じた、すなわち、圧縮機２１の回転数や冷凍サイクルにおける高圧圧力と中間圧力と低圧圧力等の冷凍サイクルの状況に応じた適切な量の冷凍機油を圧縮機２１に返油させることが可能になっている。これにより、圧縮機２１の信頼性を高めることが可能になっている。
【０１３７】
ここで、本実施形態の圧縮機２１は、第１圧縮機２１ａと第２圧縮機２１ｂと第３圧縮機２１ｃの複数の圧縮機が互いに並列に接続されており、油分離器２３、油戻し管３８およびインジェクション管３０という共通の部分を通じて冷凍機油が返油されている。しかし、回転数固定型の第２圧縮機２１ｂや第３圧縮機２１ｃと比べると、インバータ圧縮機である第１圧縮機２１ａは回転数が多くなりやすく、第１圧縮機２１ａでは、冷凍機油も多く吐出されるものの、戻ってくる冷凍機油も第２圧縮機２１ｂや第３圧縮機２１ｃと比べると多くなっている。このため、圧縮機２１において通常制御である負荷処理制御が行われている際には、第２圧縮機２１ｂや第３圧縮機２１ｃにおいて冷凍機油が不足気味になりやすい。
【０１３８】
これに対して、本実施形態の圧縮機２１では、定期的に、圧縮機均油制御が行われている。すなわち、回転数が大きくなりがちな第１圧縮機２１ａの回転数を定期的に下げる制御が行われている。これにより、油戻し管３８やインジェクション管３０を流れる冷凍機油が、第２圧縮機２１ｂや第３圧縮機２１ｃに戻されやすくなっている。
【０１３９】
さらに、本実施形態の油戻し弁３９では、圧縮機均油制御が行われる際に、均油時増量制御が行われ、油戻し弁３９の弁開度が大きく開けられる。すなわち、圧縮機均油制御によって冷凍機油が第１圧縮機２１ａよりも第２圧縮機２１ｂや第３圧縮機２１ｃに戻されやすくなっている状況で、油戻し弁３９の弁開度が大きく開けられることで、油戻し管３８やインジェクション管３０を流れる冷凍機油の量を増大させて、より多くの冷凍機油を第２圧縮機２１ｂや第３圧縮機２１ｃに戻すことが可能になっている。
【０１４０】
しかも、上記実施形態の第１〜第３インジェクション弁３３ａ、３３ｂ、３３ｃは、圧縮機２１について圧縮機均油制御が行われており、油戻し弁３９について均油時増量制御が行われている際に、均油時油分配制御が行われ、第２インジェクション弁３３ｂおよび第３インジェクション弁３３ｃの弁開度が、第１インジェクション弁３３ａよりも開け気味に制御される。したがって、より一層、多くの冷凍機油を第２圧縮機２１ｂや第３圧縮機２１ｃに戻しやすくすることが可能になっている。
【０１４１】
（６−２）
本実施形態の冷凍装置１００では、油戻し管３８は、圧縮機２１の吸入側ではなく、圧縮機２１の圧縮工程の途中に接続されているインジェクション管３０に合流するように設けられている。このため、圧縮機２１から吐出された高温の流体（冷媒および冷凍機油）の一部の熱エネルギーが圧縮機２１の吸入冷媒の温度を上昇させるために用いられてしまうことを抑制することが可能になっている。
【０１４２】
（７）変形例
上記実施形態は、以下の変形例に示すように適宜変形が可能である。なお、各変形例は、矛盾が生じない範囲で他の変形例と組み合わせて適用されてもよい。
【０１４３】
（７−１）変形例Ａ
上記実施形態では、第１圧縮機２１ａと第２圧縮機２１ｂと第３圧縮機２１ｃの間における均油を行う際に、第１圧縮機２１ａの回転数を下げる制御と、油戻し弁３９の弁開度を上げる制御と、第２、第３インジェクション弁３３ｂ、３３ｃの弁開度を相対的に上げる制御と、の主として３つの制御が行われる場合を例に挙げて説明した。
【０１４４】
これに対して、第１圧縮機２１ａと第２圧縮機２１ｂと第３圧縮機２１ｃの間における均油を行う場合には、第１圧縮機２１ａの回転数を下げる制御のみを行い、他の制御は行わないようにしてもよい。また、第２、第３インジェクション弁３３ｂ、３３ｃの弁開度を相対的に上げる制御のみを行い、他の制御は行わないようにしてもよい。これらの場合であっても、上記実施形態における均油効果よりは劣るものの、第１圧縮機２１ａと第２圧縮機２１ｂと第３圧縮機２１ｃの間における均油効果を得ることが可能になる。
【０１４５】
（７−２）変形例Ｂ
上記実施形態では、油戻し管３８の油分離器２３側とは反対側の端部がインジェクション管３０の途中に接続されている場合を例に挙げて説明した。
【０１４６】
これに対して、油戻し管の接続先としては、これに限られるものではなく、例えば、図４に示す冷凍装置２００の油戻し管３８ａのように、油分離器２３とは反対側の端部が吸入側配管４２の途中に接続されるようにしてもよい。
【０１４７】
この場合には、油分離器２３で分離された冷凍機油は、圧縮機２１の吸入側に送られることになるが、この場合であっても、第１圧縮機２１ａと第２圧縮機２１ｂと第３圧縮機２１ｃの間における均油を行う際に、第１圧縮機２１ａの回転数を下げることによる均油効果を得ることができる。また、その際に、油戻し管３８ａに設けられた油戻し弁３９の弁開度を上げる制御を行うことで、第２圧縮機２１ｂや第３圧縮機２１ｃにより多くの冷凍機油を戻すことも可能になる。
【０１４８】
（７−３）変形例Ｃ
上記実施形態では、インジェクション管３０の下流側が圧縮機２１の圧縮工程の途中に合流される場合を例に挙げて説明した。
【０１４９】
これに対して、図５に示す冷凍装置３００のように、下流側が圧縮機２１の吸入側に接続されたインジェクション管３０ａを用いるようにしてもよい（なお、上記実施形態のインジェクション管３０は、圧縮機２１の圧縮工程の途中に接続されているため、インジェクション管３０を流れる冷媒によって圧縮機２１が吸入する冷媒量が減少しにくい）。
【０１５０】
なお、この変形例Ｃについても、上記実施形態と同様に、第１圧縮機２１ａと第２圧縮機２１ｂと第３圧縮機２１ｃの間における均油を行う際に、第１圧縮機２１ａの回転数を下げる制御と、油戻し弁３９の弁開度を上げる制御と、第２、第３インジェクション弁３３ｂ、３３ｃの弁開度を相対的に上げる制御と、の３つの制御を行うことにより、第２圧縮機２１ｂや第３圧縮機２１ｃにより多くの冷凍機油を戻すことも可能である。
【０１５１】
（７−４）変形例Ｄ
上記変形例Ｃにおいては、下流側の端部が圧縮機２１の吸入側に接続されたインジェクション管３０ａを備えた冷凍装置３００を例に挙げて説明した。
【０１５２】
これに対して、図６に示す冷凍装置４００のように、下流側が圧縮機２１の吸入側に接続されたインジェクション管３０ａを備えつつ、変形例Ｂと同様に、油分離器２３とは反対側の端部が吸入側配管４２の途中に接続された油戻し管３８ａを備えた構成としてもよい。
【０１５３】
この場合には、油分離器２３で分離された冷凍機油は、圧縮機２１の吸入側に送られることになるが、この場合であっても、第１圧縮機２１ａと第２圧縮機２１ｂと第３圧縮機２１ｃの間における均油を行う際に、第１圧縮機２１ａの回転数を下げることによる均油効果を得ることができる。また、その際に、油戻し管３８ａに設けられた油戻し弁３９の弁開度を上げる制御を行うことで、第２圧縮機２１ｂや第３圧縮機２１ｃにより多くの冷凍機油を戻すことも可能である。
【０１５４】
（７−５）変形例Ｅ
上記実施形態の冷凍装置１００では、油戻し管３８における冷凍機油の流量を調節する弁として、電子膨張弁によって構成された油戻し弁３９を例に挙げて説明した。
【０１５５】
これに対して、例えば、図７に示す冷凍装置５００のように、上記実施形態および各変形例における油戻し弁３９の代わりにキャピラリーチューブ２３９を設けてもよい。
【０１５６】
キャピラリーチューブ２３９自体を制御することはできないが、第１圧縮機２１ａと第２圧縮機２１ｂと第３圧縮機２１ｃの間における均油を行う際に、第１圧縮機２１ａの回転数を下げることによる均油効果を得ることは可能であるし、その際に、第２、第３インジェクション弁３３ｂ、３３ｃの弁開度を相対的に上げる制御を行うことで、第２圧縮機２１ｂや第３圧縮機２１ｃにより多くの冷凍機油を戻すことも可能である。
【０１５７】
（７−６）変形例Ｆ
上記実施形態の冷凍装置１００では、圧縮機２１の負荷処理制御と油戻し弁３９の油戻し制御と第１〜第３インジェクション弁３３ａ、３３ｂ、３３ｃの通常油分配制御が行われている状態から、圧縮機２１の圧縮機均油制御と油戻し弁３９の均油時増量制御と第１〜第３インジェクション弁３３ａ、３３ｂ、３３ｃの均油時油分配制御に切り換える条件として、所定判断時間の間だけ通常の運転が継続して行われていることを例に挙げて説明した。
【０１５８】
これに対して、上記条件は、これに限られるものではなく、例えば、所定の時刻となったことを切り換える条件としてもよいし、圧縮機の油上がり量が所定量に達したことを切り換える条件としてもよい。
【０１５９】
（７−７）変形例Ｇ
上記実施形態および各変形例では、インジェクション管３０が過冷却器３１の熱源側膨張弁２８側で分岐している例を挙げて説明した。
【０１６０】
これに対して、インジェクション管３０は、過冷却器３１の熱源側膨張弁２８側とは反対側において分岐した構成であってもよい。
【０１６１】
（７−８）変形例Ｈ
上記実施形態では、冷蔵倉庫や店舗のショーケースの庫内の冷却を行う冷凍装置１００を例に挙げて説明した。
【０１６２】
しかし、これに限定されず、輸送コンテナ内の冷却を行う冷凍装置としてもよいし、建物内の冷房等を行うことで空気調和を実現する空調システム（エアコン）としてもよい。
【産業上の利用可能性】
【０１６３】
本発明は、冷凍装置に利用可能である。
【符号の説明】
【０１６４】
２      ：熱源ユニット
６      ：液側冷媒連絡配管
７      ：ガス側冷媒連絡配管
１０      ：冷媒回路
２０      ：熱源ユニット制御部
２１      ：圧縮機
２１ａ    ：第１圧縮機（インバータ圧縮機）
２１ｂ    ：第２圧縮機（インバータ圧縮機以外の圧縮機）
２１ｃ    ：第３圧縮機（インバータ圧縮機以外の圧縮機）
２３      ：油分離器
２５      ：熱源側熱交換器
２６      ：第１熱源液側逆止弁
２７      ：レシーバ
２８      ：熱源側膨張弁
２９      ：第２熱源液側逆止弁
３０      ：インジェクション管（冷媒供給管、インジェクション管）
３０ａ    ：吸入インジェクション管（冷媒供給管）
３１      ：過冷却器
３２      ：過冷却膨張弁（中間膨張弁）
３３      ：インジェクション弁
３３ａ    ：第１インジェクション弁（流量調節弁）
３３ｂ    ：第２インジェクション弁（流量調節弁）
３３ｃ    ：第３インジェクション弁（流量調節弁）
３４      ：バイパス管
３５      ：バイパス逆止弁
３６      ：分岐管
３７      ：分岐逆止弁
３８      ：油戻し管
３８ａ    ：油戻し管
３９      ：油戻し弁（流量調整機構）
４０ａ    ：低圧センサ
４０ｂ    ：中間圧センサ
４０ｃ    ：高圧センサ
４１      ：吐出側配管
４２      ：吸入側配管（冷媒供給管）
４３      ：第１熱源液側配管
４４      ：第２熱源液側配管
４５      ：熱源側ファン
４７      ：吐出温度センサ
５０      ：第１利用ユニット
５２      ：第１利用側熱交換器
５４      ：第１利用側膨張弁
５７      ：第１利用ユニット制御部
５８      ：第１利用側ガス冷媒管
５９      ：第１利用側液冷媒管
６０      ：第２利用ユニット
６２      ：第２利用側熱交換器
６４      ：第２利用側膨張弁
６７      ：第２利用ユニット制御部
６８      ：第２利用側ガス冷媒管
６９      ：第２利用側液冷媒管
７０      ：コントローラ（制御部）
１００、２００、３００、４００、５００    ：冷凍装置
【先行技術文献】
【特許文献】
【０１６５】
【特許文献１】特開２０１１−２０８８６０号公報
【図１】
2018071887.tif 000003
【図２】
2018071887.tif 000004
【図３】
2018071887.tif 000005
【図４】
2018071887.tif 000006
【図５】
2018071887.tif 000007
【図６】
2018071887.tif 000008
【図７】
2018071887.tif 000009
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
少なくとも１つのインバータ圧縮機（２１ａ）を含み、互いに並列に接続された複数の圧縮機（２１ａ、２１ｂ、２１ｃ）と、
複数の前記圧縮機の吐出側に設けられた油分離器（２３）と、
複数の前記圧縮機に冷媒を供給する冷媒供給管（３０、３０ａ、４２）と、
前記油分離器（２３）と前記冷媒供給管（３０、３０ａ、４２）とを接続する油戻し管（３８、３８ａ）と、
前記油戻し管に設けられ、開度制御が可能な弁である流量調整機構（３９）と、
を備え、
第１所定条件を満たした場合に、前記インバータ圧縮機の回転数を低下させることにより、回転数を低下させた前記インバータ圧縮機以外の前記圧縮機に対してより多くの冷凍機油を戻す第１流量制御を行い、前記第１流量制御を開始する前よりも開始した後の方が前記流量調整機構（３９）における流量が増大するように前記流量調整機構（３９）を制御する第１制御部をさらに備えているか、もしくは、
前記冷媒供給管（３０、３０ａ、４２）における、複数の前記圧縮機のそれぞれに冷媒を供給する流路（３３ｘ、３３ｙ、３３ｚ）に対応するように設けられた複数の流量調節弁（３３ａ、３３ｂ、３３ｃ）と、前記インバータ圧縮機に対応するように設けられた前記流量調節弁（３３ａ）と前記インバータ圧縮機に対応するように設けられた前記流量調節弁以外の前記流量調節弁（３３ｂ、３３ｃ）との相対的な流量調節度合いを第２所定条件を満たした場合に変えることで、前記インバータ圧縮機以外の前記圧縮機に対してより多くの冷凍機油を戻す第２流量制御を行い、前記第２流量制御を開始する前よりも開始した後の方が前記流量調整機構（３９）における流量が増大するように前記流量調整機構（３９）を制御する第２制御部と、をさらに備えた、
冷凍装置（１００、２００、３００、４００）。
【請求項２】
少なくとも１つのインバータ圧縮機（２１ａ）を含み、互いに並列に接続された複数の圧縮機（２１ａ、２１ｂ、２１ｃ）と、
複数の前記圧縮機の吐出側に設けられた油分離器（２３）と、
複数の前記圧縮機に冷媒を供給する冷媒供給管（３０、３０ａ、４２）と、
前記油分離器（２３）と前記冷媒供給管（３０、３０ａ、４２）とを接続する油戻し管（３８、３８ａ）と、
第１所定条件を満たした場合に、前記インバータ圧縮機の回転数を低下させることにより、回転数を低下させた前記インバータ圧縮機以外の前記圧縮機に対してより多くの冷凍機油を戻す第１流量制御を行う第１制御部と、
を備え、
複数の前記圧縮機は、容量可変の圧縮機と容量固定の圧縮機とで構成されている、
冷凍装置（１００、２００、３００、４００、５００）。
【請求項３】
前記油戻し管（３８）に設けられた流量調整機構（３９）をさらに備えた、
請求項２に記載の冷凍装置。
【請求項４】
前記流量調整機構（３９）は、開度制御が可能な弁であり、前記第１流量制御を開始する前よりも開始した後の方が前記流量調整機構（３９）における流量が増大するように前記第１制御部によって制御される、
請求項３に記載の冷凍装置。
【請求項５】
前記圧縮機から吐出された冷媒を凝縮させる熱源側熱交換器（２５）をさらに備え、
前記冷媒供給管は、前記熱源側熱交換器を通過した冷媒の一部を分岐して、複数の前記圧縮機のそれぞれの圧縮工程の途中に合流させるように設けられたインジェクション管（３０）であり、
前記インジェクション管（３０）の途中に設けられた中間膨張弁（３２）をさらに備え、
前記インジェクション管（３０）における前記中間膨張弁（３２）よりも複数の前記圧縮機側において、複数の前記圧縮機それぞれに対応するように設けられた複数の流量調節弁（３３ａ、３３ｂ、３３ｃ）をさらに備えている、
請求項２から４のいずれか１項に記載の冷凍装置。
【手続補正２】
【補正対象書類名】明細書
【補正対象項目名】全文
【補正方法】変更
【補正の内容】
【発明の詳細な説明】
【技術分野】
【０００１】
本発明は、冷凍装置に関する。
【背景技術】
【０００２】
従来より、圧縮機における潤滑剤としての冷凍機油が枯渇しないように、圧縮機に対して油分離器および油戻し管が設けられた冷凍装置が提案されている。
【０００３】
例えば、特許文献１（特開２０１１−２０８８６０号公報）に記載されている冷凍装置では、圧縮機の吐出側において冷媒から冷凍機油を分離するための油分離器が設けられており、当該油分離器で分離された冷凍機油を圧縮機の吸入側に設けられた気液分離器の上流側に戻す油戻し回路が設けられている。また、この油戻し回路の途中には、絞り開度を制御可能な電子膨張弁が設けられている。そして、この電子膨張弁の開度を、圧縮機の回転数と、圧縮機の吸入側と吐出側の圧力差に応じて開度制御することにより、圧縮機に対して適切な量の冷凍機油を戻すことができるとしている。
【発明の概要】
【発明が解決しようとする課題】
【０００４】
ところが、上記特許文献１に記載の冷凍装置では、圧縮機は１つだけ設けられており、複数の圧縮機が互いに並列に接続されている場合における各圧縮機への冷凍機油の供給については、なんら検討されていない。
【０００５】
特に、複数の圧縮機が互いに並列に接続されている場合において、各圧縮機において冷媒や冷凍機油の循環量が異なる状況になってしまう場合には、一部の圧縮機では冷凍機油の量が過剰になって多くの冷凍機油が吐出される状況となり、他の一部の圧縮機では冷凍機油が枯渇気味になってしまうおそれがある。
【０００６】
本願発明は、上述した点に鑑みてなされたものであり、本願発明の課題は、複数の圧縮機が互いに並列に接続される場合において、各圧縮機における冷凍機油の量の過不足の違いを小さく抑えることが可能な冷凍装置を提供することにある。
【課題を解決するための手段】
【０００７】
第１観点に係る冷凍装置は、複数の圧縮機と、油分離器と、冷媒供給管と、油戻し管と、流量調整機構と、を備えており、第１制御部をさらに備えているか、もしくは複数の流量調節弁および第２制御部をさらに備えている。複数の圧縮機は、少なくとも１つのインバータ圧縮機を含んでいる。複数の圧縮機は、互いに並列に接続されている。油分離器は、複数の圧縮機の吐出側に設けられている。冷媒供給管は、複数の圧縮機に冷媒を供給する。油戻し管は、油分離器と冷媒供給管とを接続する。流量調整機構は、油戻し管に設けられており、開度制御が可能な弁である。第１制御部は、第１所定条件を満たした場合に、インバータ圧縮機の回転数を低下させることにより、回転数を低下させたインバータ圧縮機以外の圧縮機に対してより多くの冷凍機油を戻す第１流量制御を行い、第１流量制御を開始する前よりも開始した後の方が流量調整機構における流量が増大するように流量調整機構を制御する。複数の流量調節弁は、冷媒供給管における、複数の圧縮機のそれぞれに冷媒を供給する流路に対応するように設けられている。第２制御部は、インバータ圧縮機に対応するように設けられた流量調節弁と、インバータ圧縮機に対応するように設けられた流量調節弁以外の流量調節弁と、の相対的な流量調節度合いを第２所定条件を満たした場合に変えることで、インバータ圧縮機以外の圧縮機に対してより多くの冷凍機油を戻す第２流量制御を行い、第２流量制御を開始する前よりも開始した後の方が流量調整機構における流量が増大するように流量調整機構を制御する。
【０００８】
なお、冷媒供給管は、複数の圧縮機の各吸入側に冷媒を供給してもよいし、複数の圧縮機の各圧縮工程の途中段階に冷媒を供給してもよい。
【０００９】
また、第１所定条件としては、特に限定されず、インバータ圧縮機またはインバータ圧縮機以外の圧縮機が、予め定めた所定期間、連続して運転した場合や積算して運転した場合に満たされることとしてもよいし、一日のうちの所定の時刻になった場合に満たされることとしてもよいし、冷凍機油のインバータ圧縮機以外の圧縮機における量を積算により把握している場合には把握している量が所定量よりも少なくなった場合に満たされることとしてもよい。
【００１０】
第１制御部を備えている冷凍装置については、第１所定条件を満たした場合に、インバータ圧縮機の回転数を低下させることにより、回転数を低下させたインバータ圧縮機以外の圧縮機に対してより多くの冷凍機油を戻す第１流量制御を行う。これにより、インバータ圧縮機以外の圧縮機において冷凍機油が不足している状況を改善させ、各圧縮機における冷凍機油の量の過不足の違いを小さく抑えることが可能になる。
【００１１】
複数の流量調節弁および第２制御部を備えている冷凍装置については、インバータ圧縮機に対応するように設けられた流量調節弁と、インバータ圧縮機に対応するように設けられた流量調節弁以外の流量調節弁と、の相対的な流量調節度合いを、第２所定条件を満たした場合に変えることで、インバータ圧縮機以外の圧縮機に対してより多くの冷凍機油を戻す第２流量制御を行う。これにより、インバータ圧縮機以外の圧縮機において冷凍機油が不足している状況を改善させ、各圧縮機における冷凍機油の量の過不足の違いを小さく抑えることが可能になる。
【００１２】
第２観点に係る冷凍装置は、複数の圧縮機と、油分離器と、冷媒供給管と、油戻し管と、第１制御部と、を備えている。複数の圧縮機は、少なくとも１つのインバータ圧縮機を含んでいる。複数の圧縮機は、互いに並列に接続されている。油分離器は、複数の圧縮機の吐出側に設けられている。冷媒供給管は、複数の圧縮機に冷媒を供給する。油戻し管は、油分離器と冷媒供給管とを接続する。第１制御部は、第１所定条件を満たした場合に、インバータ圧縮機の回転数を低下させることにより、回転数を低下させたインバータ圧縮機以外の圧縮機に対してより多くの冷凍機油を戻す第１流量制御を行う。複数の圧縮機は、容量可変の圧縮機と容量固定の圧縮機とで構成されている。
【００１３】
なお、冷媒供給管は、複数の圧縮機の各吸入側に冷媒を供給してもよいし、複数の圧縮機の各圧縮工程の途中段階に冷媒を供給してもよい。
【００１４】
また、第１所定条件としては、特に限定されず、インバータ圧縮機またはインバータ圧縮機以外の圧縮機が、予め定めた所定期間、連続して運転した場合や積算して運転した場合に満たされることとしてもよいし、一日のうちの所定の時刻になった場合に満たされることとしてもよいし、冷凍機油のインバータ圧縮機以外の圧縮機における量を積算により把握している場合には把握している量が所定量よりも少なくなった場合に満たされることとしてもよい。
【００１５】
この冷凍装置では、第１所定条件を満たした場合に、インバータ圧縮機の回転数を低下させることにより、回転数を低下させたインバータ圧縮機以外の圧縮機に対してより多くの冷凍機油を戻す第１流量制御を行う。これにより、インバータ圧縮機以外の圧縮機において冷凍機油が不足している状況を改善させ、各圧縮機における冷凍機油の量の過不足の違いを小さく抑えることが可能になる。
【００１６】
第３観点に係る冷凍装置は、第２観点に係る冷凍装置であって、流量調整機構をさらに備えている。流量調整機構は、油戻し管に設けられている。
【００１７】
なお、流量調整機構としては、特に限定されず、例えば、電動膨張弁であってもよいし、キャピラリーチューブであってもよい。
【００１８】
この冷凍装置では、油戻し管に流量調整機構が設けられているため、油戻し管を通過して各圧縮機に戻される冷凍機油の流量を調節することが可能になる。
【００１９】
第４観点に係る冷凍装置は、第３観点に係る冷凍装置であって、流量調整機構は、開度制御が可能な弁である。第１制御部は、第１流量制御を開始する前よりも開始した後の方が流量調整機構における流量が増大するように流量調整機構を制御する。
【００２０】
なお、流量調整機構における流量を増大させる場合とは、例えば、流量調整機構が電動膨張弁によって構成されている場合に、当該電動膨張弁の弁開度を上げること等が含まれる。
【００２１】
この冷凍装置では、インバータ圧縮機以外の圧縮機に対してより多くの冷凍機油を戻す第１流量制御を行う場合に、流量調整機構を通過する冷凍機油の量が増大する。これにより、油戻し管および冷媒供給管を流れる冷凍機油が増大する。したがって、インバータ圧縮機以外の圧縮機に対してより効率的に冷凍機油を戻すことが可能になる。
【００２２】
第５観点に係る冷凍装置は、第２観点から第４観点のいずれかに係る冷凍装置であって、熱源側熱交換器と、中間膨張弁と、複数の流量調節弁と、をさらに備えている。熱源側熱交換器は、圧縮機から吐出された冷媒を凝縮させる。冷媒供給管は、熱源側熱交換器を通過した冷媒の一部を分岐して、複数の圧縮機のそれぞれの圧縮工程の途中に合流させるように設けられたインジェクション管である。中間膨張弁は、インジェクション管の途中に設けられている。複数の流量調節弁は、インジェクション管における中間膨張弁よりも複数の圧縮機側において、複数の圧縮機それぞれに対応するように設けられている。
【００２３】
この冷凍装置では、油戻し管は、油分離器で分離された冷凍機油等を、インジェクション管を介して圧縮機の圧縮工程の途中に導くことができる。このように、圧縮機から油分離器に向けて吐出された高温の流体の一部が、圧縮機の吸入側に導かれるのではなく圧縮機における圧縮工程の途中に導かれるため、圧縮機から吐出された高温の流体の一部の熱エネルギーが圧縮機の吸入冷媒の温度を上昇させるために用いられてしまうことを抑制することが可能になる。
【発明の効果】
【００２４】
第１観点に係る冷凍装置では、各圧縮機における冷凍機油の量の過不足の違いを小さく抑えることが可能になり、油戻し管を通過して各圧縮機に戻される冷凍機油の流量を調節することが可能になり、インバータ圧縮機以外の圧縮機に対してより効率的に冷凍機油を戻すことが可能になる。
【００２５】
第２観点に係る冷凍装置では、各圧縮機における冷凍機油の量の過不足の違いを小さく抑えることが可能になる。
【００２６】
第３観点に係る冷凍装置では、油戻し管を通過して各圧縮機に戻される冷凍機油の流量を調節することが可能になる。
【００２７】
第４観点に係る冷凍装置では、インバータ圧縮機以外の圧縮機に対してより効率的に冷凍機油を戻すことが可能になる。
【００２８】
第５観点に係る冷凍装置では、圧縮機から吐出された高温の流体の一部の熱エネルギーが圧縮機の吸入冷媒の温度を上昇させるために用いられてしまうことを抑制することが可能になる。
【図面の簡単な説明】
【００２９】
【図１】本発明の一実施形態に係る冷凍装置の全体構成図。
【図２】コントローラの概略構成と、コントローラに接続される各部と、を模式的に示したブロック図。
【図３】圧縮機の負荷処理制御と圧縮機均油制御、油戻し弁の油戻し制御と均油時増量制御、第１〜第３インジェクション弁の通常油分配制御と均油時油分配制御を実行する場合におけるコントローラの処理の流れの一例を示したフローチャート。
【図４】変形例Ｂに係る冷媒回路を有する冷凍装置の全体構成図。
【図５】変形例Ｃに係る冷媒回路を有する冷凍装置の全体構成図。
【図６】変形例Ｄに係る冷媒回路を有する冷凍装置の全体構成図。
【図７】変形例Ｅに係る冷媒回路を有する冷凍装置の全体構成図。
【発明を実施するための形態】
【００３０】
以下、図面を参照しながら、本発明の一実施形態に係る冷凍装置１００について説明する。なお、以下の実施形態は、本発明の具体例であって、本発明の技術的範囲を限定するものではなく、発明の要旨を逸脱しない範囲で適宜変更が可能である。
【００３１】
（１）冷凍装置１００
図１は、本発明の一実施形態に係る冷凍装置１００の概略構成図である。冷凍装置１００は、蒸気圧縮式の冷凍サイクルによって、冷蔵倉庫や店舗のショーケースの庫内等の利用側空間の冷却を行う装置である。
【００３２】
冷凍装置１００は、主として、熱源ユニット２と、複数（ここでは２台）の利用ユニット（第１利用ユニット５０、第２利用ユニット６０）と、熱源ユニット２と第１利用ユニット５０、第２利用ユニット６０とを接続する液側冷媒連絡配管６およびガス側冷媒連絡配管７と、入力装置および表示装置としての複数のリモコン（第１リモコン５０ａ、第２リモコン６０ａ）と、冷凍装置１００の動作を制御するコントローラ７０と、を有している。
【００３３】
冷凍装置１００では、１台の熱源ユニット２に対して、液側冷媒連絡配管６およびガス側冷媒連絡配管７を介して、第１利用ユニット５０と第２利用ユニット６０とが互いに並列に接続されることで、冷媒回路１０が構成されている。冷凍装置１００では、冷媒回路１０内に封入された冷媒が、圧縮され、冷却又は凝縮され、減圧され、加熱又は蒸発された後に、再び圧縮される、という冷凍サイクルが行われる。なお、特に限定されるものではないが、本実施形態では、冷媒回路１０には、蒸気圧縮式の冷凍サイクルを行うための冷媒としてＲ３２が充填されている。
【００３４】
（１−１）熱源ユニット２
熱源ユニット２は、液側冷媒連絡配管６およびガス側冷媒連絡配管７を介して第１利用ユニット５０および第２利用ユニット６０が並列に接続されており、冷媒回路１０の一部を構成している。熱源ユニット２は、主として、圧縮機２１と、油分離器２３、四路切換弁２４と、熱源側熱交換器２５と、熱源側ファン４５と、レシーバ２７と、過冷却器３１と、熱源側膨張弁２８と、インジェクション管３０と、過冷却膨張弁３２と、インジェクション弁３３と、油戻し管３８と、油戻し弁３９と、第１分岐管３４と、第２分岐管３６と、液側閉鎖弁４８と、ガス側閉鎖弁４９と、を有している。
【００３５】
また、熱源ユニット２は、圧縮機２１の吐出側から四路切換弁２４の接続ポートの１つを接続しており途中に油分離器２３が設けられている吐出側配管４１と、圧縮機２１の吸入側から四路切換弁２４の接続ポートの１つとを接続する吸入側配管４２と、熱源側熱交換器２５の液側とレシーバ２７とを接続する第１熱源液側配管４３と、レシーバ２７の熱源側熱交換器２５側とは反対側の端部と液側閉鎖弁４８とを接続する第２熱源液側配管４４と、を有している。
【００３６】
圧縮機２１は、冷凍サイクルにおける低圧の冷媒を高圧になるまで圧縮する機器である。特に限定されないが、本実施形態の圧縮機２１は、互いに並列に接続された第１圧縮機２１ａと、第２圧縮機２１ｂと、第３圧縮機２１ｃと、によって構成されている。これらの第１圧縮機２１ａ、第２圧縮機２１ｂおよび第３圧縮機２１ｃは、本実施形態では、いずれも全密閉式高圧ドーム型のスクロール圧縮機である。このうち、第１圧縮機２１ａ（インバータ圧縮機）は、容量可変（回転数が可変）の圧縮機であり、インバータが設けられている。第２圧縮機２１ｂ（インバータ圧縮機以外の圧縮機）および第３圧縮機２１ｃ（インバータ圧縮機以外の圧縮機）は、容量固定（回転数が固定）の圧縮機であり、インバータは設けられていない。なお、第１圧縮機２１ａの最高回転数は、第２圧縮機２１ｂや第３圧縮機２１ｃの固定の回転数よりも高くなるように構成されている。
【００３７】
第１圧縮機２１ａ、第２圧縮機２１ｂ、第３圧縮機２１ｃのそれぞれの吸入側には、個別吸入管が接続されている。これらの個別吸入管は、最上流側において１つにまとまっている。これらの個別吸入管の最上流側のまとまった箇所と、四路切換弁２４とは、吸入側配管４２によって接続されている。
【００３８】
第１圧縮機２１ａ、第２圧縮機２１ｂ、第３圧縮機２１ｃのそれぞれの吐出側には、個別吐出管が接続されている。これらの個別吐出管は、最下流側において１つにまとまっている。これらの個別吐出管の最下流側のまとまった箇所と、四路切換弁２４とは、吐出側配管４１によって接続されている。なお、第１圧縮機２１ａの吐出側には、吐出流れのみを許容する逆止弁２２ａが設けられている。第２圧縮機２１ｂの吐出側にも同様に、吐出流れのみを許容する逆止弁２２ｂが設けられており、第３圧縮機２１ｃの吐出側にも同様に、吐出流れのみを許容する逆止弁２２ｃが設けられている。
【００３９】
油分離器２３は、圧縮機２１から吐出された冷媒から主として冷凍機油を分離するための容器であり、吐出側配管４１の途中に設けられている。この油分離器２３は、圧縮機２１を構成する複数の圧縮機である第１圧縮機２１ａと第２圧縮機２１ｂと第３圧縮機２１ｃから吐出された流体（冷媒と冷凍機油を含む）をまとめて流入させ、主として冷凍機油を分離する（なお、運転状況によってはガス冷媒も多少混ざり込む）。このため、例えば、第１圧縮機２１ａと第２圧縮機２１ｂと第３圧縮機２１ｃとのそれぞれの吐出側に１対１で対応させるように設けられる油分離器と比べると、本実施形態の油分離器２３は容量が大きいものとなっている。
【００４０】
この吐出側配管４１の途中に設けられた油分離器２３からは、油戻し管３８が分岐するようにして延び出している。この油戻し管３８の他端は、後述するインジェクション管３０の途中であって、過冷却器３１と第１〜第３インジェクション分流管３３ｘ、３３ｙ、３３ｚとの間に接続されている。また、油戻し管３８の途中には、弁開度を制御可能な電子膨張弁によって構成された油戻し弁３９が設けられている。
【００４１】
四路切換弁２４は、吐出側配管４１の下流側端部に接続されている。この四路切換弁２４は、接続状態を切り換えることにより、圧縮機２１の吐出側と熱源側熱交換器２５とが接続されてガス側閉鎖弁４９と圧縮機２１の吸入側とが接続された冷却運転状態（通常運転の状態）と、圧縮機２１の吐出側とガス側閉鎖弁４９とが接続されて熱源側熱交換器２５と圧縮機２１の吸入側とが接続された加熱運転状態（デフロスト運転の状態）と、を切り換えることが可能になっている。
【００４２】
熱源側熱交換器２５は、冷凍サイクルにおける高圧の冷媒の放熱器として機能すると共に、低圧の冷媒の蒸発器として機能する熱交換器である。熱源側熱交換器２５は、一端が四路切換弁２４側から伸びた冷媒配管に接続されており、他端が第１熱源液側配管４３に接続されている。
【００４３】
熱源側ファン４５は、熱源ユニット２内に庫外空気（熱源側空気）を取り込んで、熱源側熱交換器２５において冷媒と熱交換させた後に、外部に排出させるための空気流れを形成する。熱源側ファン４５は、熱源側ファンモータＭ４５によって回転駆動される。熱源側ファン４５の風量は、熱源側ファンモータＭ４５の回転数を調節することにより制御される。
【００４４】
第１熱源液側配管４３の途中には、熱源側熱交換器２５側からレシーバ２７側に向かう冷媒流れのみを許容する第１熱源液側逆止弁２６が設けられている。
【００４５】
レシーバ２７は、冷媒を一時的に溜める容器であり、第１熱源液側配管４３の熱源側熱交換器２５側とは反対側に設けられている。ここで、第１熱源液側配管４３は、レシーバ２７の上方における気相部分に接続されている。
【００４６】
熱源側膨張弁２８は、弁開度を制御可能な電動膨張弁によって構成されており、第２熱源液側配管４４に（より詳細には過冷却器３１の下流側の部分に）配置されている。
【００４７】
過冷却器３１は、レシーバ２７において一時的に溜められた冷媒を第１、第２利用ユニット５０、６０に送る前にさらに冷却する熱交換器であり、第２熱源液側配管４４のレシーバ２７と熱源側膨張弁２８との間に配置されている。
【００４８】
インジェクション管３０は、第２熱源液側配管４４の過冷却器３１と熱源側膨張弁２８との間から分岐するように伸び出しており、圧縮機２１の圧縮工程の途中に接続されている。
【００４９】
過冷却膨張弁３２は、弁開度を制御可能な電動膨張弁によって構成されており、インジェクション管３０の途中であって、過冷却器３１よりも上流側に設けられている。過冷却器３１では、レシーバ２７から流れ出た第２熱源液側配管４４を流れる冷媒と、インジェクション管３０を流れる冷媒であって過冷却膨張弁３２によって減圧された冷媒と、の間で熱交換が行われる。これにより、第２熱源液側配管４４を流れる冷媒は過冷却されて、熱源側膨張弁２８に向けて流れる。他方、インジェクション管３０において過冷却器３１を通過した冷媒は、さらにインジェクション管３０の下流側に向けて流れる。
【００５０】
インジェクション管３０における油戻し管３８との合流部分よりもさらに下流側（圧縮機２１側）は、第１〜第３インジェクション分流管３３ｘ、３３ｙ、３３ｚを介して、圧縮機２１まで伸びている。具体的には、インジェクション管３０における油戻し管３８との合流部分よりもさらに下流側（圧縮機２１側）は、第１圧縮機２１ａの圧縮工程の途中に合流するように流れる第１インジェクション分流管３３ｘと、第２圧縮機２１ｂの圧縮工程の途中に合流するように流れる第２インジェクション分流管３３ｙと、第３圧縮機２１ｃの圧縮工程の途中に合流するように流れる第３インジェクション分流管３３ｚと、に分岐している。
【００５１】
インジェクション弁３３は、弁開度を制御可能な電動膨張弁によって構成されており、インジェクション管３０における第１〜第３インジェクション分流管３３ｘ、３３ｙ、３３ｚの途中にそれぞれ設けられている。具体的には、第１インジェクション分流管３３ｘの途中には第１インジェクション弁３３ａが設けられ、第２インジェクション分流管３３ｙの途中には第２インジェクション弁３３ｂが設けられ、第３インジェクション分流管３３ｚの途中には第３インジェクション弁３３ｃが設けられている。
【００５２】
第２熱源液側配管４４には、熱源側膨張弁２８と液側閉鎖弁４８との間において、熱源側膨張弁２８側から液側閉鎖弁４８側に向かう冷媒流れのみを許容する第２熱源液側逆止弁２９が設けられている。
【００５３】
第１分岐管３４は、第２熱源液側配管４４の途中であって、第２熱源液側逆止弁２９と液側閉鎖弁４８との間から分岐し、第１熱源液側配管４３の途中であって第１熱源液側逆止弁２６とレシーバ２７との間の部分に合流するように設けられた冷媒配管である。この第１分岐管３４の途中には、第２熱源液側配管４４側から第１熱源液側配管４３側に向かう冷媒流れのみを許容する第１分岐逆止弁３５が設けられている。
【００５４】
第２分岐管３６は、第２熱源液側配管４４の途中であって、熱源側膨張弁２８と第２熱源液側逆止弁２９との間から分岐し、第１熱源液側配管４３の途中であって熱源側熱交換器２５と第１熱源液側逆止弁２６との間の部分に合流するように設けられた冷媒配管である。この第２分岐管３６の途中には、第２熱源液側配管４４側から第１熱源液側配管４３側に向かう冷媒流れのみを許容する第２分岐逆止弁３７が設けられている。
【００５５】
液側閉鎖弁４８は、第２熱源液側配管４４と液側冷媒連絡配管６との接続部分に配置された手動弁である。
【００５６】
ガス側閉鎖弁４９は、四路切換弁２４から伸びる配管とガス側冷媒連絡配管７との接続部分に配置された手動弁である。
【００５７】
熱源ユニット２には、各種センサが配置されている。具体的には、吸入側配管４２には、圧縮機２１の吸入側における冷媒の圧力である吸入圧力を検出する低圧センサ４０ａが設けられている。また、第１圧縮機２１ａの個別吐出管の途中には、圧縮機２１の吐出側における冷媒の圧力である吐出圧力を検出する高圧センサ４０ｃが設けられている。さらに、インジェクション管３０の途中であって、インジェクション管３０と油戻し管３８との合流部分と、過冷却器３１と、の間には、冷凍サイクルにおける中間圧力を検出する中間圧センサ４０ｂが設けられている。さらに、熱源側熱交換器２５又は熱源側ファン４５の周辺には、熱源ユニット２内に吸入される熱源側空気の温度を検出する熱源側空気温度センサ４６が配置されている。そして、圧縮機２１から吐出された冷媒の温度を検知するための吐出温度センサ４７が、吐出側配管４１の途中（本実施形態では油分離器２３の上流側であって、第１圧縮機２１ａと第２圧縮機２１ｂと第３圧縮機２１ｃの吐出冷媒の合流後の位置）に設けられている。
【００５８】
熱源ユニット２は、熱源ユニット２を構成する各部の動作を制御する熱源ユニット制御部２０を有している。熱源ユニット制御部２０は、ＣＰＵやメモリ等を含むマイクロコンピュータを有している。熱源ユニット制御部２０は、各利用ユニット５０の利用ユニット制御部５７と通信線を介して接続されており、制御信号等の送受信を行う。
【００５９】
（１−２）第１利用ユニット５０
第１利用ユニット５０は、液側冷媒連絡配管６およびガス側冷媒連絡配管７を介して熱源ユニット２と接続されており、冷媒回路１０の一部を構成している。
【００６０】
第１利用ユニット５０は、第１利用側膨張弁５４と、第１利用側熱交換器５２と、を有している。また、第１利用ユニット５０は、第１利用側熱交換器５２の液側端と液側冷媒連絡配管６とを接続する第１利用側液冷媒管５９と、第１利用側熱交換器５２のガス側端とガス側冷媒連絡配管７とを接続する第１利用側ガス冷媒管５８と、を有している。
【００６１】
第１利用側膨張弁５４は、弁開度を制御可能な電動膨張弁によって構成されており、第１利用側液冷媒管５９の途中に設けられている。
【００６２】
第１利用側熱交換器５２は、冷凍サイクルにおける冷却運転時には低圧の冷媒の蒸発器として機能して庫内空気（利用側空気）を冷却し、デフロスト運転等の加熱運転時には冷媒の放熱器として機能する熱交換器である。
【００６３】
ここで、第１利用ユニット５０は、第１利用ユニット５０内に利用側空気を吸入して、第１利用側熱交換器５２において冷媒と熱交換させた後に、利用側空間に供給するための第１利用側ファン５３を有している。第１利用側ファン５３は、第１利用側熱交換器５２を流れる冷媒の加熱源としての利用側空気を第１利用側熱交換器５２に供給するためのファンである。第１利用側ファン５３は、第１利用側ファンモータＭ５３によって回転駆動される。
【００６４】
また、第１利用ユニット５０は、第１利用ユニット５０を構成する各部の動作を制御する第１利用ユニット制御部５７を有している。第１利用ユニット制御部５７は、ＣＰＵやメモリ等を含むマイクロコンピュータを有している。第１利用ユニット制御部５７は、熱源ユニット制御部２０と通信線を介して接続されており、制御信号等の送受信を行う。
【００６５】
（１−３）第２利用ユニット６０
第２利用ユニット６０は、第１利用ユニット５０と同様の構成であり、液側冷媒連絡配管６およびガス側冷媒連絡配管７を介して熱源ユニット２と接続されており、冷媒回路１０の一部を構成している。この第２利用ユニット６０は、第１利用ユニット５０に対して並列に接続されている。
【００６６】
第２利用ユニット６０は、第２利用側膨張弁６４と、第２利用側熱交換器６２と、を有している。また、第２利用ユニット６０は、第２利用側熱交換器６２の液側端と液側冷媒連絡配管６とを接続する第２利用側液冷媒管６９と、第２利用側熱交換器６２のガス側端とガス側冷媒連絡配管７とを接続する第２利用側ガス冷媒管６８と、を有している。
【００６７】
第２利用側膨張弁６４は、弁開度を制御可能な電動膨張弁によって構成されており、第２利用側液冷媒管６９の途中に設けられている。
【００６８】
第２利用側熱交換器６２は、冷凍サイクルにおける冷却運転時には低圧の冷媒の蒸発器として機能して庫内空気（利用側空気）を冷却し、デフロスト運転等の加熱運転時には冷媒の放熱器として機能する熱交換器である。
【００６９】
ここで、第２利用ユニット６０も、第１利用ユニット５０と同様に、第２利用側ファンモータＭ６３によって回転駆動される第２利用側ファン６３を有している。
【００７０】
また、第２利用ユニット６０は、第２利用ユニット６０を構成する各部の動作を制御する第２利用ユニット制御部６７を有している。第２利用ユニット制御部６７は、ＣＰＵやメモリ等を含むマイクロコンピュータを有している。第２利用ユニット制御部６７は、熱源ユニット制御部２０と通信線を介して接続されており、制御信号等の送受信を行う。
【００７１】
（１−４）第１リモコン５０ａ、第２リモコン６０ａ
第１リモコン５０ａは、第１利用ユニット５０のユーザが冷凍装置１００の運転状態を切り換えるための各種指示を入力するための入力装置である。また、第１リモコン５０ａは、冷凍装置１００の運転状態や所定の報知情報を表示するための表示装置としても機能する。第１リモコン５０ａは、第１利用ユニット制御部５７と通信線を介して接続されており、相互に信号の送受信を行っている。
【００７２】
第２リモコン６０ａも、第１リモコン５０ａと同様であり、第２利用ユニット６０のユーザが冷凍装置１００の運転状態を切り換えるための各種指示を入力するための入力装置、表示装置である。第２リモコン６０ａは、第２利用ユニット制御部６７と通信線を介して接続されており、相互に信号の送受信を行っている。
【００７３】
（２）コントローラ７０の詳細
冷凍装置１００では、熱源ユニット制御部２０と、第１利用ユニット制御部５７および第２利用ユニット制御部６７と、が通信線を介して接続されることで、冷凍装置１００の動作を制御するコントローラ７０が構成されている。
【００７４】
図２は、コントローラ７０の概略構成と、コントローラ７０に接続される各部と、を模式的に示したブロック図である。
【００７５】
コントローラ７０は、複数の制御モードを有し、遷移している制御モードに応じて冷凍装置１００の運転を制御する。例えば、コントローラ７０は、制御モードとして、平常時に行われる冷却運転モードと、逆サイクルデフロスト時に行われる加熱運転モードと、を有している。また、コントローラ７０は、冷却運転モードと加熱運転モードとのいずれにおいても、油戻し弁３９について、油戻し制御および均油制御を行う。この油戻し弁３９の油戻し制御は、冷凍サイクルの運転状況に応じて適切な冷凍機油の量を第１圧縮機２１ａ、第２圧縮機２１ｂ、第３圧縮機２１ｃに返油させるための制御である。そして、油戻し弁３９の均油制御は、第２圧縮機２１ｂや第３圧縮機２１ｃにおける冷凍機油の不足を解消させるために、油戻し弁３９の弁開度を、油戻し制御時の弁開度よりも大きくする制御である。
【００７６】
コントローラ７０は、熱源ユニット２に含まれる各アクチュエータ（具体的には、圧縮機２１、四路切換弁２４、熱源側膨張弁２８、過冷却膨張弁３２、インジェクション弁３３、油戻し弁３９、および熱源側ファン４５（熱源側ファンモータＭ４５））と、各種センサ（低圧センサ４０ａ、中間圧センサ４０ｂ、高圧センサ４０ｃ、および熱源側空気温度センサ４６、吐出温度センサ４７等）と、電気的に接続されている。また、コントローラ７０は、第１利用ユニット５０に含まれるアクチュエータ（具体的には、第１利用側ファン５３（第１利用側ファンモータＭ５３）、第１利用側膨張弁５４）と電気的に接続されている。また、コントローラ７０は、第２利用ユニット６０に含まれるアクチュエータ（具体的には、第２利用側ファン６３（第２利用側ファンモータＭ６３）、第２利用側膨張弁６４）と電気的に接続されている。また、コントローラ７０は、第１リモコン５０ａ、第２リモコン６０ａと、電気的に接続されている。
【００７７】
コントローラ７０は、主として、記憶部７１と、通信部７２と、モード制御部７３と、アクチュエータ制御部７４と、表示制御部７５と、を有している。なお、コントローラ７０内におけるこれらの各部は、熱源ユニット制御部２０および／又は利用ユニット制御部５７に含まれる各部が一体的に機能することによって実現されている。
【００７８】
（２−１）記憶部７１
記憶部７１は、例えば、ROM、RAM、およびフラッシュメモリ等で構成されており、揮発性の記憶領域と不揮発性の記憶領域を含む。記憶部７１には、コントローラ７０の各部における処理を定義した制御プログラムが格納されている。また、記憶部７１は、コントローラ７０の各部によって、所定の情報（例えば、各センサの検出値、第１リモコン５０ａ、第２リモコン６０ａに入力されたコマンド等）を、所定の記憶領域に適宜格納される。
【００７９】
（２−２）通信部７２
通信部７２は、コントローラ７０に接続される各機器と、信号の送受信を行うための通信インターフェースとしての役割を果たす機能部である。通信部７２は、アクチュエータ制御部７４からの依頼を受けて、指定されたアクチュエータに所定の信号を送信する。また、通信部７２は、各種センサ、第１リモコン５０ａ、および第２リモコン６０ａから出力された信号を受けて、記憶部７１の所定の記憶領域に格納する。
【００８０】
（２−３）モード制御部７３
モード制御部７３は、制御モードの切り換え等を行う機能部である。モード制御部７３は、第１、第２利用側熱交換器５２、６２における霜の付着に関する所定デフロスト条件が満たされていない状態で運転を行う場合には、冷却運転モードとする。また、モード制御部７３は、冷却運転モードにおいて、所定デフロスト条件が満たされた場合には、加熱運転モードに切り換える。また、モード制御部７３は、油戻し弁３９について、冷却運転モードと加熱運転モードとのいずれにおいても、油戻し制御および均油制御を行う。
【００８１】
（２−４）アクチュエータ制御部７４
アクチュエータ制御部７４は、制御プログラムに沿って、状況に応じて、冷凍装置１００に含まれる各アクチュエータ（例えば圧縮機２１等）の動作を制御する。
【００８２】
アクチュエータ制御部７４は、四路切換弁２４の接続状態を圧縮機２１の吐出側と熱源側熱交換器２５とが接続されてガス側閉鎖弁４９と圧縮機２１の吸入側とが接続された状態として、熱源側膨張弁２８が全開状態となるように制御しつつ、設定温度や各種センサの検出値等に応じて、圧縮機２１の回転数、熱源側ファン４５、過冷却膨張弁３２の開度、油戻し弁３９の開度、第１〜第３インジェクション弁３３ａ、３３ｂ、３３ｃの各弁開度、利用側膨張弁５４、６４の開度、利用側ファン５３、６３の回転数等をリアルタイムに制御する。なお、冷却運転モード実行中は、第１〜第３インジェクション弁３３ａ、３３ｂ、３３ｃは、いずれも全閉状態以外の状態に制御される。
【００８３】
また、アクチュエータ制御部７４は、加熱運転モード時には、四路切換弁２４の接続状態を圧縮機２１の吐出側とガス側閉鎖弁４９とが接続されて熱源側熱交換器２５と圧縮機２１の吸入側とが接続された状態として、過冷却膨張弁３２は全閉状態となるように制御し、利用側膨張弁５４、６４は全開状態となるように制御し、利用側ファン５３、６３を停止させるように制御しつつ、各種センサの検出値等に応じて、圧縮機２１の回転数、熱源側ファン４５、熱源側膨張弁２８の開度、油戻し弁３９の開度、第１〜第３インジェクション弁３３ａ、３３ｂ、３３ｃの各弁開度等をリアルタイムに制御する。なお、加熱運転モード実行中においても、第１〜第３インジェクション弁３３ａ、３３ｂ、３３ｃは、いずれも全閉状態以外の状態に制御される。
【００８４】
ここで、冷却運転モード時には、圧縮機２１について、負荷処理制御と、圧縮機均油制御とが選択的に実行される。
【００８５】
また、冷却運転モード時には、油戻し弁３９について、油戻し制御と、均油時増量制御とが選択的に実行される。
【００８６】
さらに、冷却運転モード時には、第１〜第３インジェクション弁３３ａ、３３ｂ、３３ｃについて、通常油分配制御と、均油時油分配制御とが選択的に実行される。
【００８７】
（２−４−１）圧縮機２１の負荷処理制御
圧縮機２１の負荷処理制御（冷却運転モードで圧縮機均油制御が実行される時以外の制御）では、第１利用ユニット５０および第２利用ユニット６０で要求される負荷を処理できるように、負荷に応じてアクチュエータ制御部７４が容量制御を行う。具体的には、吸入圧力の目標値が第１利用ユニット５０および第２利用ユニット６０で要求される冷却負荷に応じて設定され、吸入圧力が目標値になるように圧縮機２１の運転回転数が制御される。
【００８８】
ここで、アクチュエータ制御部７４は、起動時や負荷が小さい場合には第１圧縮機２１ａのみを駆動させ、起動後に冷凍サイクルが安定してきた場合や負荷が大きくなった場合に、第２圧縮機２１ｂや第３圧縮機２１ｃについても駆動させる状態となるように、制御を行う。なお、インバータを有する容量可変型の第１圧縮機２１ａの回転数は、回転数固定型の第２圧縮機２１ｂや第３圧縮機２１ｃの回転数よりも大きくなるように駆動される。
【００８９】
（２−４−２）圧縮機２１の圧縮機均油制御
圧縮機２１の圧縮機均油制御では、圧縮機２１のうち第１圧縮機２１ａの回転数を低い回転数としつつ、第２圧縮機２１ｂと第３圧縮機２１ｃの運転状態は維持させる（固定回転数のままで運転させる）状態となるように、アクチュエータ制御部７４が制御を行う。
【００９０】
具体的には、アクチュエータ制御部７４は、第１圧縮機２１ａの回転数が所定の均油用回転数以下となるように、強制的に制御を行う。ここで、均油用回転数は、特に限定されないが、例えば、第２圧縮機２１ｂや第３圧縮機２１ｃの固定回転数よりもよりも低い回転数として予め定めることができるし、圧縮機均油制御が開始される直前の第１圧縮機２１ａの回転数を基準とした場合に当該基準よりも低い回転数となるようにしてもよい。
【００９１】
（２−４−３）油戻し弁３９の油戻し制御
油戻し弁３９の油戻し制御（冷却運転モードで均油時増量制御が実行される時以外の制御）では、圧縮機２１からの油上がり量と同じ通過循環量を実現できる開度となるようにアクチュエータ制御部７４が制御する。すなわち、「圧縮機２１からの油上がり量」が、「油戻し弁３９における通過循環量」と等しくなるように、アクチュエータ制御部７４が油戻し弁３９の弁開度を制御する。
【００９２】
ここで、「圧縮機の油上がり量」＝「圧縮機の冷媒循環量」×「圧縮機の油上がり率」の関係にある。ここで、圧縮機２１を構成する複数の圧縮機（第１圧縮機２１ａ、第２圧縮機２１ｂ、第３圧縮機２１ｃ）が駆動している場合には、駆動している圧縮機それぞれについて「圧縮機の冷媒循環量」と「圧縮機の油上がり率」を用いて「圧縮機の油上がり量」を算出し、これらを合計することで、「圧縮機２１の油上がり量」を算出することができる。
【００９３】
なお、「圧縮機の循環量」は、特に限定されないが、例えば、圧縮機のピストン押しのけ量、圧縮機の駆動回転数、圧縮機の吸入冷媒密度に基づいて算出するようにしてもよいし、
圧縮機２１の入力電力を圧縮機２１の出口と入口のエンタルピー差で除することによって算出するようにしてもよい。
【００９４】
また、上記「圧縮機の油上がり率」は、圧縮機の駆動回転数と、冷凍サイクルにおける高圧圧力と中間圧力と低圧圧力と、必要に応じて圧縮機が吸入する冷媒の過熱度と、に基づいて、駆動している圧縮機毎に算出することができる。
【００９５】
また、「油戻し弁３９における通過循環量」は、油戻し弁３９における弁開度と、油戻し弁３９の前後における冷媒圧力の差（高圧圧力−中間圧圧力）と、予め記憶部７１に記憶されている所定の関係値テーブルデータと、を用いて算出することができる。ここで、所定の関係値テーブルデータは、油戻し弁３９の弁開度が大きいほど通過循環量が大きくなり、油戻し弁３９の前後の冷媒圧力の差が大きいほど通過循環量が大きくなるという関係に基づいて、予め得られているデータである。
【００９６】
以上にしたがって、油戻し弁３９の弁開度は、実質的に、「圧縮機２１の油上がり量」と「油戻し弁３９の前後における冷媒圧力の差（高圧圧力−中間圧圧力）」と、に応じた開度に制御されることになる。
【００９７】
（２−４−４）油戻し弁３９の均油時増量制御
油戻し弁３９の均油時増量制御では、アクチュエータ制御部７４は、直前まで行われていた冷却運転モードでの油戻し弁３９の油戻し制御により制御された弁開度よりも、さらに大きな弁開度となるように、油戻し弁３９の開度を開ける。油戻し弁３９の開度を開ける程度は、特に限定されないが、例えば、直前まで行われていた冷却運転モードでの油戻し弁３９の油戻し制御による弁開度に対して所定の比率となるような弁開度としてもよいし、全開状態としてもよい。このように油戻し弁３９の弁開度を開くことにより、油分離器２３から油戻し管３８を通じてより多くの冷凍機油をインジェクション管３０に送ることが可能となる。
【００９８】
（２−４−５）第１〜第３インジェクション弁３３ａ、３３ｂ、３３ｃの通常油分配制御
第１〜第３インジェクション弁３３ａ、３３ｂ、３３ｃの通常油分配制御（冷却運転モードで均油時分配制御が実行される時以外の制御）では、アクチュエータ制御部７４は、第１〜第３インジェクション弁３３ａ、３３ｂ、３３ｃの各弁開度の比率を、第１〜第３圧縮機２１ａ、２１ｂ、２１ｃの回転数の比率と比例するように、制御する。
【００９９】
（２−４−６）第１〜第３インジェクション弁３３ａ、３３ｂ、３３ｃの均油時油分配制御
第１〜第３インジェクション弁３３ａ、３３ｂ、３３ｃの均油時油分配制御では、アクチュエータ制御部７４は、第１インジェクション弁３３ａの弁開度に対する第２インジェクション弁３３ｂおよび第３インジェクション弁３３ｃの各弁開度の比率が、第１圧縮機２１ａの回転数に対する第２圧縮機２１ｂおよび第３圧縮機２１ｃの各回転数の比率よりも大きくなるように制御する。具体的には、第２インジェクション弁３３ｂおよび第３インジェクション弁３３ｃの弁開度を開け気味に制御し、第２圧縮機２１ｂおよび第３圧縮機２１ｃに対して多くの冷凍機油が戻る状況を確保する。
【０１００】
なお、ここで、第１インジェクション弁３３ａの弁開度を絞りつつ第２インジェクション弁３３ｂおよび第３インジェクション弁３３ｃの弁開度をそのまま維持する制御よりも、第１インジェクション弁３３ａの弁開度をそのまま維持しつつ第２インジェクション弁３３ｂおよび第３インジェクション弁３３ｃの弁開度を所定開度上げる制御の方が、圧縮機２１の吐出温度を低く抑えることが可能になる点で好ましい。
【０１０１】
（２−５）表示制御部７５
表示制御部７５は、表示装置としての第１リモコン５０ａおよび第２リモコン６０ａの動作を制御する機能部である。
【０１０２】
表示制御部７５は、運転状態や状況に係る情報を管理者に対して表示すべく、第１リモコン５０ａおよび第２リモコン６０ａに所定の情報を出力させる。
【０１０３】
例えば、表示制御部７５は、冷却運転実行中には、設定温度等の各種情報を第１リモコン５０ａおよび第２リモコン６０ａに表示させる。
【０１０４】
（３）冷却運転モードの冷媒の流れ
以下、冷却運転モードにおける冷媒回路１０における冷媒の流れについて説明する。
【０１０５】
冷凍装置１００では、運転時に、冷媒回路１０に充填された冷媒が、主として、圧縮機２１、熱源側熱交換器２５、レシーバ２７、過冷却器３１、熱源側膨張弁２８、利用側膨張弁５４、６４、利用側熱交換器５２、６２の順に循環する冷却運転（冷凍サイクル運転）が行われる。
【０１０６】
冷却運転が開始されると、冷媒回路１０内において、冷媒が圧縮機２１に吸入されて圧縮された後に吐出される。ここで、冷凍サイクルにおける低圧は、低圧センサ４０ａによって検出される吸入圧力であり、冷凍サイクルにおける高圧は、高圧センサ４０ｃによって検出される吐出圧力であり、冷凍サイクルにおける中間圧は、中間圧センサ４０ｂによって検出される吐出圧力である。
【０１０７】
圧縮機２１では、第１利用ユニット５０および第２利用ユニット６０で要求される冷却負荷に応じた容量制御が行われる。具体的には、吸入圧力の目標値が第１利用ユニット５０および第２利用ユニット６０で要求される冷却負荷に応じて設定され、吸入圧力が目標値になるように圧縮機２１の回転数が制御される。なお、冷却運転モード時には、圧縮機２１は、負荷処理制御または圧縮機均油制御が行われる。
【０１０８】
圧縮機２１から吐出されたガス冷媒は、吐出側配管４１を経て、熱源側熱交換器２５のガス側端に流入する。ここで、吐出側配管４１の途中に設けられた油分離器２３は、圧縮機２１から吐出された冷媒から冷凍機油を分離し、油戻し管３８側に導く。なお、冷却運転モード時には、油戻し弁３９は油戻し制御または弁均油制御が行われる。
【０１０９】
熱源側熱交換器２５のガス側端に流入したガス冷媒は、熱源側熱交換器２５において、熱源側ファン４５によって供給される熱源側空気と熱交換を行って放熱して凝縮し、液冷媒となって熱源側熱交換器２５の液側端から流出する。
【０１１０】
熱源側熱交換器２５の液側端から流出した液冷媒は、第２分岐管３６側に分岐して流れることなく、第１熱源液側配管４３および第１熱源液側逆止弁２６を通過して、レシーバ２７の入口に流入する。レシーバ２７に流入した液冷媒は、レシーバ２７において飽和状態の液冷媒として一時的に溜められた後に、レシーバ２７の出口から流出する。
【０１１１】
レシーバ２７の出口から流出した液冷媒は、第２熱源液側配管４４を流れて過冷却器３１に流入する。
【０１１２】
過冷却器３１に流入した液冷媒は、過冷却器３１において、インジェクション管３０を流れる冷媒と熱交換を行ってさらに冷却されて過冷却状態の液冷媒になり、過冷却器３１の熱源側膨張弁２８側の出口から流出する。なお、ここで、過冷却膨張弁３２の弁開度は、コントローラ７０によって、過冷却器３１から熱源側膨張弁２８に向けて流れる冷媒が所定の正の過冷却度を有するようにしつつ、中間圧センサの検知値が所定の中間圧条件を満たすように制御される。
【０１１３】
過冷却器３１の熱源側膨張弁２８側の出口から流出した液冷媒は、第２熱源液側配管４４における過冷却器３１と熱源側膨張弁２８との間の部分を経て、熱源側膨張弁２８に流入する。このとき、過冷却器３１の熱源側膨張弁２８側の出口から流出した液冷媒の一部は、第２熱源液側配管４４における過冷却器３１と熱源側膨張弁２８との間の部分から分岐しているインジェクション管３０に向けて流れるようになっている。
【０１１４】
インジェクション管３０を流れる冷媒は、過冷却膨張弁３２によって冷凍サイクルにおける中間圧になるまで減圧される。過冷却膨張弁３２によって減圧された後のインジェクション管３０を流れる冷媒は、過冷却器３１のインジェクション管３０側の入口に流入する。過冷却器３１のインジェクション管３０側の入口に流入した冷媒は、過冷却器３１において、第２熱源液側配管４４側を流れる冷媒と熱交換を行って加熱されてガス冷媒になる。そして、過冷却器３１において加熱された冷媒は、インジェクション管３０の下流側まで流れ、油戻し管３８を介して流れてきた冷凍機油と合流することで混合され、第１〜第３インジェクション分流管３３ｘ、３３ｙ、３３ｚにそれぞれ分流されて、第１〜第３圧縮機２１ａ、２１ｂ、２１ｃの圧縮工程の途中に合流する。ここで、第１〜第３インジェクション分流管３３ｘ、３３ｙ、３３ｚを流れる冷媒量は、第１〜第３インジェクション弁３３ａ、３３ｂ、３３ｃの各弁開度によって調整される。なお、冷却運転モード時には、第１〜第３インジェクション弁３３ａ、３３ｂ、３３ｃは、通常油分配制御または均油時油分配制御が行われる。
【０１１５】
熱源側膨張弁２８は、冷却運転モードでは全開状態に制御されているため、第２熱源液側配管４４から熱源側膨張弁２８に流入した液冷媒は、減圧されることなく熱源側膨張弁２８を通過し、その後に、液側閉鎖弁４８、および液側冷媒連絡配管６を経て、運転中の第１利用ユニット５０および第２利用ユニット６０に流入する。
【０１１６】
第１利用ユニット５０に流入した冷媒は、第１利用側液冷媒管５９の一部を経て、第１利用側膨張弁５４に流入する。第１利用側膨張弁５４に流入した冷媒は、第１利用側膨張弁５４によって冷凍サイクルにおける低圧になるまで減圧されて、第１利用側液冷媒管５９を経て第１利用側熱交換器５２の液側端に流入する。第１利用側熱交換器５２の液側端に流入した冷媒は、第１利用側熱交換器５２において、第１利用側ファン５３によって供給される利用側空気と熱交換を行って蒸発し、ガス冷媒となって第１利用側熱交換器５２のガス側端から流出する。第１利用側熱交換器５２のガス側端から流出したガス冷媒は、第１利用側ガス冷媒管５８を介して、ガス側冷媒連絡配管７に流れていく。
【０１１７】
第２利用ユニット６０に流入した冷媒は、第１利用ユニット５０と同様に、第２利用側液冷媒管６９の一部を経て、第２利用側膨張弁６４に流入する。第２利用側膨張弁６４に流入した冷媒は、第２利用側膨張弁６４によって冷凍サイクルにおける低圧になるまで減圧されて、第２利用側液冷媒管６９を経て第２利用側熱交換器６２の液側端に流入する。第２利用側熱交換器６２の液側端に流入した冷媒は、第２利用側熱交換器６２において、第２利用側ファン６３によって供給される利用側空気と熱交換を行って蒸発し、ガス冷媒となって第２利用側熱交換器６２のガス側端から流出する。第２利用側熱交換器６２のガス側端から流出したガス冷媒は、第２利用側ガス冷媒管６８を介して、ガス側冷媒連絡配管７に流れていく。
【０１１８】
このようにして、第１利用ユニット５０から流出した冷媒と、第２利用ユニット６０から流出した冷媒とは、ガス側冷媒連絡配管７において合流し、ガス側閉鎖弁４９、四路切換弁２４および吸入側配管４２を経て、再び、圧縮機２１に吸入される。
【０１１９】
（４）加熱運転モードの冷媒の流れ
以下、利用側熱交換器５２、６２に付着した霜を除去するため等に行われる加熱運転モードにおける冷媒回路１０における冷媒の流れについて説明する。
【０１２０】
加温運転は、コントローラ７０が冷却運転時に所定の加温運転開始条件を満たしたと判断した場合に（例えば、冷却運転が所定時間の間実行された場合または除霜対象の熱交換器の温度が所定温度以下に低下した場合）、開始される。
【０１２１】
冷凍装置１００では、加温運転時に、冷媒回路１０に充填された冷媒が、主として、圧縮機２１、利用側熱交換器５２、６２、利用側膨張弁５４、６４、レシーバ２７、熱源側膨張弁２８、熱源側熱交換器２５の順に循環する加熱運転（冷凍サイクル運転）が行われる。
【０１２２】
加熱運転が開始されると、冷媒回路１０内において、冷媒が圧縮機２１に吸入されて圧縮された後に吐出される。
【０１２３】
圧縮機２１では、特に限定されないが、例えば最大回転数となるように制御される。具体的には、第１圧縮機２１ａの回転数を最大としつつ、第２圧縮機２１ｂおよび第３圧縮機２１ｃについては固定回転数となるように制御される。
【０１２４】
圧縮機２１から吐出されたガス冷媒は、吐出側配管４１を経て、利用側熱交換器５２、６２のガス側端に流入する。
【０１２５】
利用側熱交換器５２、６２のガス側端に流入したガス冷媒は、放熱することで凝縮しつつ、利用側熱交換器５２、６２に付着している霜を融解させる。なお、このとき、利用側ファン５３、６３の駆動は停止している。
【０１２６】
利用側熱交換器５２、６２で霜を融解させて凝縮した冷媒は、全開状態に制御されている利用側膨張弁５４、６４を通過し、液側冷媒連絡配管６を介して熱源ユニット２の液側に流入する。
【０１２７】
熱源ユニット２の液側閉鎖弁４８を通過した冷媒は、第１分岐管３４における第１分岐逆止弁３５を通過するように流れ（第２熱源液側配管４４には第２熱源液側逆止弁２９が設けられているため、当該方向には流れない。）、レシーバ２７に流入する。レシーバ２７に流入した冷媒は、第２熱源液側配管４４を流れ、過冷却器３１を通過して、熱源側膨張弁２８において冷凍サイクルにおける低圧になるまで減圧された後、第２分岐管３６の第２分岐逆止弁３７を通過するように流れる。なお、加熱運転時には過冷却膨張弁３２は全閉状態に制御されているため、インジェクション管３０の上流側には冷媒は流れない。また、加熱運転時には油戻し弁３９は開度制御されているため、油戻し管３８を流れた冷凍機油は、インジェクション管３０の下流側部分を介して第１〜第３圧縮機２１ａ、２１ｂ、２１ｃのそれぞれに送られる。なお、加熱運転モードにおいては、油戻し弁３９は、冷却運転モードと同様の油戻し制御が行われる。また、加熱運転モードにおいては、第１〜第３インジェクション弁３３ａ、３３ｂ、３３ｃは、冷却運転モードと同様の通常油分配制御が行われる。
【０１２８】
上述の第２分岐管３６の第２分岐逆止弁３７を通過するように流れた冷媒は、第１熱源液側配管４３を介して熱源側熱交換器２５に流入する。熱源側熱交換器２５の液側端に流入した冷媒は、熱源側熱交換器２５において、熱源側ファン４５によって供給される熱源側空気と熱交換を行って蒸発し、ガス冷媒となって熱源側熱交換器２５のガス側端から流出する。
【０１２９】
熱源側熱交換器２５から流出したガス冷媒は、四路切換弁２４および吸入側配管４２を経て、再び、圧縮機２１に吸入される。
【０１３０】
なお、加温運転は、コントローラ７０が加温運転開始から所定の加温運転終了条件を満たしたと判断した場合に（例えば、所定時間の経過または除霜対象の熱交換器の温度が所定温度以上となること等）、終了され、通常の冷却運転が再開される。
【０１３１】
（５）冷却運転モードにおいて圧縮機２１の負荷処理制御と圧縮機均油制御、油戻し弁３９の油戻し制御と均油時増量制御、第１〜第３インジェクション弁３３ａ、３３ｂ、３３ｃの通常油分配制御と均油時油分配制御をコントローラ７０が実行する場合の処理の流れ
以下、冷却運転モードにおいて、圧縮機２１の負荷処理制御と圧縮機均油制御、油戻し弁３９の油戻し制御と均油時増量制御、第１〜第３インジェクション弁３３ａ、３３ｂ、３３ｃの通常油分配制御と均油時油分配制御を実行する場合におけるコントローラ７０の処理の流れの一例を、図３のフローチャートを参照しながら説明する。
【０１３２】
なお、ここでは、圧縮機２１が起動し、第１圧縮機２１ａ、第２圧縮機２１ｂ、第３圧縮機２１ｃの全てが駆動状態となり、冷凍サイクルが安定した状態となった状態からの処理を説明する。
【０１３３】
ステップＳ１１では、コントローラ７０は、圧縮機２１において負荷処理制御を実行する。すなわち、第１利用ユニット５０および第２利用ユニット６０で要求される冷却負荷に応じて設定される吸入圧力の目標値を実現することができるように、第１圧縮機２１ａの回転数が制御される。なお、この状態では、第２圧縮機２１ｂおよび第３圧縮機２１ｃはいずれも固定回転数で運転されている。なお、第１圧縮機２１ａの回転数の上限は、第２圧縮機２１ｂおよび第３圧縮機２１ｃの固定回転数よりも大きく、通常は（平均すると）、第１圧縮機２１ａの回転数の方が大きくなるように運転が行われている。このため、油戻し管３８およびインジェクション管３０を流れる冷凍機油は、主として、回転数の高い第１圧縮機２１ａに戻される状態となる。
【０１３４】
ステップＳ１２では、コントローラ７０は、油戻し弁３９において油戻し制御を実行する。すなわち、圧縮機２１からの油上がり量が、油戻し弁３９における通過循環量と等しくなるように、油戻し弁３９の弁開度が制御される。
【０１３５】
ステップＳ１３では、コントローラ７０は、第１〜第３インジェクション弁３３ａ、３３ｂ、３３ｃにおいて、通常油分配制御を実行する。すなわち、第１〜第３インジェクション弁３３ａ、３３ｂ、３３ｃの各弁開度は、対応する第１〜第３圧縮機２１ａ、２１ｂ、２１ｃの回転数と比例するように制御される。
【０１３６】
ステップＳ１４では、コントローラ７０は、ステップＳ１３の処理が終了した後、所定判断時間が経過しているか否かを判断する。すなわち、冷凍サイクルが安定している状態で運転が所定判断時間だけ行われているか否か判断する。これにより、回転数の大きな第１圧縮機２１ａと回転数の低い第２圧縮機２１ｂと第３圧縮機２１ｃとがいずれもしばらくの間運転されることで、第２圧縮機２１ｂと第３圧縮機２１ｃにおいて冷凍機油が不足気味の状態となっていると推定することができる。ここで、所定判断時間が経過していると判断した場合には、ステップＳ１５に移行し、所定判断時間が経過していないと判断された場合にはステップＳ１４を繰り返し、所定判断時間の経過を待つ。なお、特に限定されないが、所定判断時間は、例えば、３０分または６０分等とすることができる。
【０１３７】
ステップＳ１５では、コントローラ７０は、圧縮機２１について、圧縮機均油制御を実行する。すなわち、コントローラ７０は、インバータ圧縮機である第１圧縮機２１ａの回転数を第２圧縮機２１ｂや第３圧縮機２１ｃの固定回転数よりも低い回転数まで下げつつ、第２圧縮機２１ｂと第３圧縮機２１ｃの固定回転数での運転状態は維持させるように制御を行う。これにより、油戻し管３８およびインジェクション管３０を流れる冷凍機油は、回転数が低く制御された第１圧縮機２１ａよりも、回転数の大きな第２圧縮機２１ｂや第３圧縮機２１ｃに対して戻されやすい状態となる。
【０１３８】
ステップＳ１６では、コントローラ７０は、油戻し弁３９について、均油時増量制御を実行する。すなわち、コントローラ７０は、ステップＳ１４において所定判断時間が経過したと判断された時点で行われていた冷却運転モードでの油戻し制御による油戻し弁３９の弁開度を基準として、油戻し弁３９の弁開度が大きくなるように（例えば、当該基準の１５０％の開度となるように）制御する。これにより、油分離器２３からより多くの冷凍機油を、油戻し管３８およびインジェクション管３０に送ることができ、より多くの冷凍機油を第２圧縮機２１ｂや第３圧縮機２１ｃに戻すことが可能となる。
【０１３９】
ステップＳ１７では、コントローラ７０は、第１〜第３インジェクション弁３３ａ、３３ｂ、３３ｃについて、均油時油分配制御を実行する。すなわち、コントローラ７０は、第１インジェクション弁３３ａの弁開度に対する第２インジェクション弁３３ｂおよび第３インジェクション弁３３ｃの各弁開度の比率が、第１圧縮機２１ａの回転数に対する第２圧縮機２１ｂおよび第３圧縮機２１ｃの各回転数の比率よりも大きくなるように制御することで、第２インジェクション弁３３ｂおよび第３インジェクション弁３３ｃの弁開度が開け気味になるように制御する。これにより、第１圧縮機２１ａよりも、第２圧縮機２１ｂや第３圧縮機２１ｃに対して冷凍機油が戻されやすい状態を確保することが可能となる。
【０１４０】
ステップＳ１８では、コントローラ７０は、ステップＳ１７の処理が終了した時点から所定均油時間が経過したか否かを判断する。ここで、所定均油時間が経過したと判断された場合には、第１圧縮機２１ａと第２圧縮機２１ｂと第３圧縮機２１ｃにおける均油処理は完了したと判断し、ステップＳ１１に戻ることで、圧縮機２１の負荷処理制御、油戻し弁３９における油戻し制御、第１〜第３インジェクション弁における通常油分配制御が再度開始されることとなる。また、所定均油時間が経過していないと判断された場合にはステップＳ１８を繰り返し、所定均油時間の経過を待つ。なお、特に限定されないが、所定均油時間は、所定判断時間よりも短い時間であって、例えば、２または３分等とすることができる。
【０１４１】
（６）冷凍装置１００の特徴
（６−１）
本実施形態に係る冷凍装置１００では、冷却運転モードにおいて、油戻し弁３９の弁開度について上述の油戻し制御を行うことにより、圧縮機２１の冷媒循環量や油上がり率に応じた、すなわち、圧縮機２１の回転数や冷凍サイクルにおける高圧圧力と中間圧力と低圧圧力等の冷凍サイクルの状況に応じた適切な量の冷凍機油を圧縮機２１に返油させることが可能になっている。これにより、圧縮機２１の信頼性を高めることが可能になっている。
【０１４２】
ここで、本実施形態の圧縮機２１は、第１圧縮機２１ａと第２圧縮機２１ｂと第３圧縮機２１ｃの複数の圧縮機が互いに並列に接続されており、油分離器２３、油戻し管３８およびインジェクション管３０という共通の部分を通じて冷凍機油が返油されている。しかし、回転数固定型の第２圧縮機２１ｂや第３圧縮機２１ｃと比べると、インバータ圧縮機である第１圧縮機２１ａは回転数が多くなりやすく、第１圧縮機２１ａでは、冷凍機油も多く吐出されるものの、戻ってくる冷凍機油も第２圧縮機２１ｂや第３圧縮機２１ｃと比べると多くなっている。このため、圧縮機２１において通常制御である負荷処理制御が行われている際には、第２圧縮機２１ｂや第３圧縮機２１ｃにおいて冷凍機油が不足気味になりやすい。
【０１４３】
これに対して、本実施形態の圧縮機２１では、定期的に、圧縮機均油制御が行われている。すなわち、回転数が大きくなりがちな第１圧縮機２１ａの回転数を定期的に下げる制御が行われている。これにより、油戻し管３８やインジェクション管３０を流れる冷凍機油が、第２圧縮機２１ｂや第３圧縮機２１ｃに戻されやすくなっている。
【０１４４】
さらに、本実施形態の油戻し弁３９では、圧縮機均油制御が行われる際に、均油時増量制御が行われ、油戻し弁３９の弁開度が大きく開けられる。すなわち、圧縮機均油制御によって冷凍機油が第１圧縮機２１ａよりも第２圧縮機２１ｂや第３圧縮機２１ｃに戻されやすくなっている状況で、油戻し弁３９の弁開度が大きく開けられることで、油戻し管３８やインジェクション管３０を流れる冷凍機油の量を増大させて、より多くの冷凍機油を第２圧縮機２１ｂや第３圧縮機２１ｃに戻すことが可能になっている。
【０１４５】
しかも、上記実施形態の第１〜第３インジェクション弁３３ａ、３３ｂ、３３ｃは、圧縮機２１について圧縮機均油制御が行われており、油戻し弁３９について均油時増量制御が行われている際に、均油時油分配制御が行われ、第２インジェクション弁３３ｂおよび第３インジェクション弁３３ｃの弁開度が、第１インジェクション弁３３ａよりも開け気味に制御される。したがって、より一層、多くの冷凍機油を第２圧縮機２１ｂや第３圧縮機２１ｃに戻しやすくすることが可能になっている。
【０１４６】
（６−２）
本実施形態の冷凍装置１００では、油戻し管３８は、圧縮機２１の吸入側ではなく、圧縮機２１の圧縮工程の途中に接続されているインジェクション管３０に合流するように設けられている。このため、圧縮機２１から吐出された高温の流体（冷媒および冷凍機油）の一部の熱エネルギーが圧縮機２１の吸入冷媒の温度を上昇させるために用いられてしまうことを抑制することが可能になっている。
【０１４７】
（７）変形例
上記実施形態は、以下の変形例に示すように適宜変形が可能である。なお、各変形例は、矛盾が生じない範囲で他の変形例と組み合わせて適用されてもよい。
【０１４８】
（７−１）変形例Ａ
上記実施形態では、第１圧縮機２１ａと第２圧縮機２１ｂと第３圧縮機２１ｃの間における均油を行う際に、第１圧縮機２１ａの回転数を下げる制御と、油戻し弁３９の弁開度を上げる制御と、第２、第３インジェクション弁３３ｂ、３３ｃの弁開度を相対的に上げる制御と、の主として３つの制御が行われる場合を例に挙げて説明した。
【０１４９】
これに対して、第１圧縮機２１ａと第２圧縮機２１ｂと第３圧縮機２１ｃの間における均油を行う場合には、第１圧縮機２１ａの回転数を下げる制御のみを行い、他の制御は行わないようにしてもよい。また、第２、第３インジェクション弁３３ｂ、３３ｃの弁開度を相対的に上げる制御のみを行い、他の制御は行わないようにしてもよい。これらの場合であっても、上記実施形態における均油効果よりは劣るものの、第１圧縮機２１ａと第２圧縮機２１ｂと第３圧縮機２１ｃの間における均油効果を得ることが可能になる。
【０１５０】
（７−２）変形例Ｂ
上記実施形態では、油戻し管３８の油分離器２３側とは反対側の端部がインジェクション管３０の途中に接続されている場合を例に挙げて説明した。
【０１５１】
これに対して、油戻し管の接続先としては、これに限られるものではなく、例えば、図４に示す冷凍装置２００の油戻し管３８ａのように、油分離器２３とは反対側の端部が吸入側配管４２の途中に接続されるようにしてもよい。
【０１５２】
この場合には、油分離器２３で分離された冷凍機油は、圧縮機２１の吸入側に送られることになるが、この場合であっても、第１圧縮機２１ａと第２圧縮機２１ｂと第３圧縮機２１ｃの間における均油を行う際に、第１圧縮機２１ａの回転数を下げることによる均油効果を得ることができる。また、その際に、油戻し管３８ａに設けられた油戻し弁３９の弁開度を上げる制御を行うことで、第２圧縮機２１ｂや第３圧縮機２１ｃにより多くの冷凍機油を戻すことも可能になる。
【０１５３】
（７−３）変形例Ｃ
上記実施形態では、インジェクション管３０の下流側が圧縮機２１の圧縮工程の途中に合流される場合を例に挙げて説明した。
【０１５４】
これに対して、図５に示す冷凍装置３００のように、下流側が圧縮機２１の吸入側に接続されたインジェクション管３０ａを用いるようにしてもよい（なお、上記実施形態のインジェクション管３０は、圧縮機２１の圧縮工程の途中に接続されているため、インジェクション管３０を流れる冷媒によって圧縮機２１が吸入する冷媒量が減少しにくい）。
【０１５５】
なお、この変形例Ｃについても、上記実施形態と同様に、第１圧縮機２１ａと第２圧縮機２１ｂと第３圧縮機２１ｃの間における均油を行う際に、第１圧縮機２１ａの回転数を下げる制御と、油戻し弁３９の弁開度を上げる制御と、第２、第３インジェクション弁３３ｂ、３３ｃの弁開度を相対的に上げる制御と、の３つの制御を行うことにより、第２圧縮機２１ｂや第３圧縮機２１ｃにより多くの冷凍機油を戻すことも可能である。
【０１５６】
（７−４）変形例Ｄ
上記変形例Ｃにおいては、下流側の端部が圧縮機２１の吸入側に接続されたインジェクション管３０ａを備えた冷凍装置３００を例に挙げて説明した。
【０１５７】
これに対して、図６に示す冷凍装置４００のように、下流側が圧縮機２１の吸入側に接続されたインジェクション管３０ａを備えつつ、変形例Ｂと同様に、油分離器２３とは反対側の端部が吸入側配管４２の途中に接続された油戻し管３８ａを備えた構成としてもよい。
【０１５８】
この場合には、油分離器２３で分離された冷凍機油は、圧縮機２１の吸入側に送られることになるが、この場合であっても、第１圧縮機２１ａと第２圧縮機２１ｂと第３圧縮機２１ｃの間における均油を行う際に、第１圧縮機２１ａの回転数を下げることによる均油効果を得ることができる。また、その際に、油戻し管３８ａに設けられた油戻し弁３９の弁開度を上げる制御を行うことで、第２圧縮機２１ｂや第３圧縮機２１ｃにより多くの冷凍機油を戻すことも可能である。
【０１５９】
（７−５）変形例Ｅ
上記実施形態の冷凍装置１００では、油戻し管３８における冷凍機油の流量を調節する弁として、電子膨張弁によって構成された油戻し弁３９を例に挙げて説明した。
【０１６０】
これに対して、例えば、図７に示す冷凍装置５００のように、上記実施形態および各変形例における油戻し弁３９の代わりにキャピラリーチューブ２３９を設けてもよい。
【０１６１】
キャピラリーチューブ２３９自体を制御することはできないが、第１圧縮機２１ａと第２圧縮機２１ｂと第３圧縮機２１ｃの間における均油を行う際に、第１圧縮機２１ａの回転数を下げることによる均油効果を得ることは可能であるし、その際に、第２、第３インジェクション弁３３ｂ、３３ｃの弁開度を相対的に上げる制御を行うことで、第２圧縮機２１ｂや第３圧縮機２１ｃにより多くの冷凍機油を戻すことも可能である。
【０１６２】
（７−６）変形例Ｆ
上記実施形態の冷凍装置１００では、圧縮機２１の負荷処理制御と油戻し弁３９の油戻し制御と第１〜第３インジェクション弁３３ａ、３３ｂ、３３ｃの通常油分配制御が行われている状態から、圧縮機２１の圧縮機均油制御と油戻し弁３９の均油時増量制御と第１〜第３インジェクション弁３３ａ、３３ｂ、３３ｃの均油時油分配制御に切り換える条件として、所定判断時間の間だけ通常の運転が継続して行われていることを例に挙げて説明した。
【０１６３】
これに対して、上記条件は、これに限られるものではなく、例えば、所定の時刻となったことを切り換える条件としてもよいし、圧縮機の油上がり量が所定量に達したことを切り換える条件としてもよい。
【０１６４】
（７−７）変形例Ｇ
上記実施形態および各変形例では、インジェクション管３０が過冷却器３１の熱源側膨張弁２８側で分岐している例を挙げて説明した。
【０１６５】
これに対して、インジェクション管３０は、過冷却器３１の熱源側膨張弁２８側とは反対側において分岐した構成であってもよい。
【０１６６】
（７−８）変形例Ｈ
上記実施形態では、冷蔵倉庫や店舗のショーケースの庫内の冷却を行う冷凍装置１００を例に挙げて説明した。
【０１６７】
しかし、これに限定されず、輸送コンテナ内の冷却を行う冷凍装置としてもよいし、建物内の冷房等を行うことで空気調和を実現する空調システム（エアコン）としてもよい。
【産業上の利用可能性】
【０１６８】
本発明は、冷凍装置に利用可能である。
【符号の説明】
【０１６９】
２      ：熱源ユニット
６      ：液側冷媒連絡配管
７      ：ガス側冷媒連絡配管
１０      ：冷媒回路
２０      ：熱源ユニット制御部
２１      ：圧縮機
２１ａ    ：第１圧縮機（インバータ圧縮機）
２１ｂ    ：第２圧縮機（インバータ圧縮機以外の圧縮機）
２１ｃ    ：第３圧縮機（インバータ圧縮機以外の圧縮機）
２３      ：油分離器
２５      ：熱源側熱交換器
２６      ：第１熱源液側逆止弁
２７      ：レシーバ
２８      ：熱源側膨張弁
２９      ：第２熱源液側逆止弁
３０      ：インジェクション管（冷媒供給管、インジェクション管）
３０ａ    ：吸入インジェクション管（冷媒供給管）
３１      ：過冷却器
３２      ：過冷却膨張弁（中間膨張弁）
３３      ：インジェクション弁
３３ａ    ：第１インジェクション弁（流量調節弁）
３３ｂ    ：第２インジェクション弁（流量調節弁）
３３ｃ    ：第３インジェクション弁（流量調節弁）
３４      ：バイパス管
３５      ：バイパス逆止弁
３６      ：分岐管
３７      ：分岐逆止弁
３８      ：油戻し管
３８ａ    ：油戻し管
３９      ：油戻し弁（流量調整機構）
４０ａ    ：低圧センサ
４０ｂ    ：中間圧センサ
４０ｃ    ：高圧センサ
４１      ：吐出側配管
４２      ：吸入側配管（冷媒供給管）
４３      ：第１熱源液側配管
４４      ：第２熱源液側配管
４５      ：熱源側ファン
４７      ：吐出温度センサ
５０      ：第１利用ユニット
５２      ：第１利用側熱交換器
５４      ：第１利用側膨張弁
５７      ：第１利用ユニット制御部
５８      ：第１利用側ガス冷媒管
５９      ：第１利用側液冷媒管
６０      ：第２利用ユニット
６２      ：第２利用側熱交換器
６４      ：第２利用側膨張弁
６７      ：第２利用ユニット制御部
６８      ：第２利用側ガス冷媒管
６９      ：第２利用側液冷媒管
７０      ：コントローラ（制御部）
１００、２００、３００、４００、５００    ：冷凍装置
【先行技術文献】
【特許文献】
【０１７０】
【特許文献１】特開２０１１−２０８８６０号公報